(57)【要約】【課題】照明器具を薄型化する。【解決手段】照明器具（２２０）は、レイリー散乱によって入射光よりも相関色温度の高い光を拡散光として取り出すことができる拡散体（１２）であって、前記拡散光を出射する出射面（１４）を含む前記拡散体（１２）を有する照明ユニット（１１０）と、拡散体（１２）に対して、拡散体（１２）の出射面（１４）側に配置され、光を透過して散乱させる光散乱体（４０、４１）とを備える。【選択図】図１２
2020191308.tif 000002
【特許請求の範囲】
【請求項１】
レイリー散乱によって入射光よりも相関色温度の高い光を拡散光として取り出すことができる拡散体であって、前記拡散光を出射する出射面を含む前記拡散体を有する照明ユニットと、
前記拡散体に対して、前記拡散体の前記出射面側に配置され、光を透過して散乱させる光散乱体と、
を備える照明器具。
【請求項２】
前記拡散体は、前記入射光として第１の光を入射する第１の入射面を含み、
前記第１の入射面は、前記拡散体の第１の端部に形成される
請求項１に記載の照明器具。
【請求項３】
前記拡散体は、前記第１の入射面と対向する面に前記入射光として第２の光を入射する第２の入射面をさらに含む
請求項２に記載の照明器具。
【請求項４】
前記拡散体は、板形状であり、
前記出射面は、前記拡散体の板形状の１つの面の上に形成される
請求項１から３のうちのいずれか１項に記載の照明器具。
【請求項５】
前記拡散体は、前記入射光をレイリー散乱させる拡散部および前記入射光のうち前記拡散部の内部を散乱されずに導光された光を反射する反射面を含み、
前記光散乱体は、前記反射面で反射された光を透過して散乱させる
請求項１から３のうちのいずれか１項に記載の照明器具。
【請求項６】
前記拡散体の前記出射面には、前記反射面で反射された光を出射する領域が含まれており、
前記光散乱体は、前記領域を覆うように配置される
請求項５に記載の照明器具。
【請求項７】
前記光散乱体は、前記拡散体と一体で形成される
請求項１から６のうちのいずれか１項に記載の照明器具。
【請求項８】
前記光散乱体は、前記拡散体の前記出射面の予め定められた領域上に形成される
請求項７に記載の照明器具。
【請求項９】
前記光散乱体は、前記拡散体とは別部品で形成される
請求項１から６のうちのいずれか１項に記載の照明器具。
【請求項１０】
前記拡散体と前記光散乱体との間に配置され、前記光散乱体に向けて光を出射する光源を備える
請求項１から９のうちのいずれか１項に記載の照明器具。
【請求項１１】
前記光散乱体は、凹凸形状の光拡散面、レンチキュラーレンズおよび光散乱粒子のうちの１つ以上を含む
請求項１から１０のうちのいずれか１項に記載の照明器具。
【請求項１２】
拡散光を取り出すことができる拡散体を有する照明ユニットと、
前記拡散体の出射面に向き合って配置され、前記出射面から出射された光を透過して散乱させる光散乱体と、
を備える照明器具。
【発明の詳細な説明】
【技術分野】
【０００１】
本開示は、照明器具に関する。
【背景技術】
【０００２】
例えば、特許文献１に記載された照明システム１は、スクリーン構造１４と底部体１２とを備えるランプ傘状構造１０を具備する。底部体１２は、拡散光発生体２０を有する。拡散光発生体２０はレイリー拡散体として働き、可視光領域は実質的に吸収せず、衝突する光の長波長成分に比べて短い波長をより効率的に拡散する。第１の光源２とランプ傘状構造１０は、暗箱１６内に配設されている。
【先行技術文献】
【特許文献】
【０００３】
【特許文献１】特開第２０１５−２０７５５４号公報
【発明の概要】
【発明が解決しようとする課題】
【０００４】
しかしながら、特許文献１に記載の照明システムでは、強い有指向性の光を発する第１の光源２は、拡散光発生体２０の中心に対して、垂直方向及び水平方向にずれた位置に配置されており、拡散光発生体２０の上面を全体的に約６０度の角度（この角度を、主光線方向と呼ぶ）で照射している。そのため照明器具の厚みが増大している。
【課題を解決するための手段】
【０００５】
本開示に係る照明器具は、レイリー散乱によって入射光よりも相関色温度の高い光を拡散光として取り出すことができる拡散体であって、前記拡散光を出射する出射面（１４）を含む前記拡散体を有する照明ユニットと、前記拡散体に対して、前記拡散体の前記出射面側に配置され、光を透過して散乱させる光散乱体とを備える。
【発明の効果】
【０００６】
本開示の照明器具によれば、照明器具の薄型化を実現できる。
【図面の簡単な説明】
【０００７】
【図１】実施形態１に係る照明器具の構成を示す構成図である。
【図２】実施形態１に係る照明器具の構成を示す構成図である。
【図３】実施形態１に係る光源の一例を示す構成図である。
【図４】実施形態１に係る拡散体の構成を示す構成図である。
【図５】実施形態１に係る単一粒子によるレイリー散乱の散乱光強度角度分布の一例を示す説明図である。
【図６】実施形態１に係る拡散体における青空を模擬した拡散光の発生原理を示す図である。
【図７】実施形態１に係る拡散体における太陽光を模擬した照明光の発生原理を示す図である。
【図８】変形例１に係る照明器具の構成を示す構成図である。
【図９】変形例１に係る照明器具の構成を示す構成図である。
【図１０】（Ａ）、（Ｂ）は、変形例２に係る照明器具の構成を示す構成図である。
【図１１】変形例２に係る照明器具の構成を示す構成図である。
【図１２】変形例２に係る照明器具の構成を示す構成図である。
【図１３】変形例２に係る照明器具の構成を示す構成図である。
【図１４】変形例２に係る照明器具の構成を示す構成図である。
【図１５】変形例３に係る照明器具の構成を示す構成図である。
【図１６】変形例３に係る照明器具の構成を示す構成図である。
【図１７】変形例３に係る照明器具の構成を示す構成図である。
【図１８】変形例３に係る照明器具の構成を示す構成図である。
【図１９】変形例３に係る照明器具の構成を示す構成図である。
【図２０】変形例３に係る照明器具の構成を示す構成図である。
【図２１】変形例４に係る照明器具の構成を示す構成図である。
【図２２】変形例５に係る照明器具の構成を示す構成図である。
【図２３】変形例５に係る照明器具の構成を示す構成図である。
【図２４】変形例５に係る照明器具の構成を示す構成図である。
【図２５】変形例６に係る照明器具の構成を示す構成図である。
【図２６】変形例７に係る照明器具の構成を示す構成図である。
【図２７】変形例８に係る照明器具の構成を示す構成図である。
【図２８】変形例９に係る照明器具の構成を示す構成図である。
【図２９】変形例９に係る照明器具の構成を示す構成図である。
【図３０】変形例１０に係る照明器具の構成を示す構成図である。
【図３１】変形例１０に係る照明器具の構成を示す構成図である。
【図３２】変形例１１に係る照明器具の構成を示す構成図である。
【発明を実施するための形態】
【０００８】
特許文献１において、光源とランプ傘状構造とを備える照明システムが記載されている。光源は、第１の相関色温度を持つ有指向性の非拡散光を提供する。ランプ傘状構造は、底部体とスクリーン構造とを具備する。底部体は、光源によってその一方の側から照射される。スクリーン構造は、底部体の照射される側の反対側に設けられる。底部体は、第１の相関色温度よりも大きな第２の相関色温度を持つ拡散光を発生する拡散光発生体を有する。拡散光発生体は、光線の有指向性の非拡散光を少なくとも部分的に透過させる。スクリーン構造は、空間的に傾斜した光の散乱面を有する側壁を有する。光の散乱面は、光源の動作中、部分発散光線の少なくとも一部によって照射されることにより、散乱光源の機能を果たす照射スクリーンを提供する。部分発散光線によって直接照射されない非照射スクリーンをさらに有し、照明システムの動作中において、非照射スクリーンと照射スクリーンとの間に影／光遷移ラインを形成する。
【０００９】
以下の実施の形態で示す照明器具では、拡散光Ｌｓは、出射面１４の領域１４ａから出射される。照明光Ｌｌは、出射面１４の領域１４ｂから出射される。領域１４ｂは、領域１４ａとは異なる領域である。領域１４ｂは、例えば、出射面１４の＋ｚ軸側の端部２３ｂの領域である。領域１４ｂは、出射面１４上の領域である。そして、領域１４ｂは、反射面１６と対向している。拡散光Ｌｓは、光Ｌｓともいう。照明光Ｌｌは、反射光Ｌｌともいう。また、照明光Ｌｌは、光Ｌｌともいう。
【００１０】
領域１４ａ，１４ｂは、光を出射する出射領域である。
【００１１】
このように、照明ユニット１００および照明器具２００では、拡散光Ｌｓが出射される領域１４ａと照明光Ｌｌが出射される領域１４ｂとが分けられている。これによって、照明器具２００の形態によらずに、青空を模擬した領域１４ａを確保することができる。
【００１２】
例えば、青空を模擬した領域１４ａと太陽光を模擬した領域１４ｂとが分けられていない場合には、太陽光を模擬した光の影響を受けて青空を模擬した領域１４ａの確保が難しくなる。特に、小型の照明器具では、この困難性が増す。一方、照明器具２００では、小型の照明器具の場合でも、照明光Ｌｌの影響を受けずに青空を模擬した領域１４ａを確保することができる。また、細長い矩形形状の場合でも、照明光Ｌｌの影響を受けずに青空を模擬した領域１４ａを確保することができる。
【００１３】
なお、領域１４ａと領域１４ｂとの間に、拡散光Ｌｓと照明光Ｌｌとの両方の光が出射される領域があってもよい。照明光Ｌｌは、太陽光を模擬した光である。
【００１４】
このように、青空を模擬した拡散光Ｌｓと太陽光を模擬した照明光Ｌｌとを照射する薄型の照明器具２００を実現することができる。また、薄型の照明ユニット１００を実現することができる。
【００１５】
拡散体１２は、例えば、板形状である。拡散体１２は、例えば、側面でつながれた対向する２つの面を含む板形状である。領域１４ａは、例えば、拡散体１２の板形状の１つの面の上に形成されている。領域１４ｂは、例えば、拡散体１２の板形状の領域１４ａが形成された面の上に形成されている。また、背面１５は、例えば、拡散体１２の板形状の他の面の上に形成されている。
【００１６】
なお、領域１４ａと領域１４ｂとは、同一の面上になくても良い。領域１４ａと領域１４ｂとの間に、例えば、段差などがあっても良い。つまり、板形状は、１つの面上に段差を有している。領域１４ｂは、例えば、拡散体１２の板形状の領域１４ａが形成された面の側に形成されている。
【００１７】
板形状は平板に限らない。板形状は湾曲した形状でもよい。例えば、板形状は球形状の表面を板形状に切り出した形状でも良い。例えば、板形状は円筒形状の側面を板形状に切り出した形状でも良い。例えば、板形状は洋樽の形状の側面を板形状に切り出した形状でも良い。洋樽の胴の側面は中央部が膨らんだ円筒形状である。
【００１８】
また、拡散体１２は、例えば、棒形状である。棒は、柱体の総称である。柱体は、２つの底面を側面でつないだ形状である。領域１４ａは、例えば、拡散体１２の棒形状の側面上に形成されている。領域１４ｂは、例えば、拡散体１２の棒形状の領域１４ａが形成された面の上に形成されている。領域１４ｂは、例えば、拡散体１２の棒形状の領域１４ａが形成された面の側に形成されている。
【００１９】
＜図中座標の説明＞
以下の各実施の形態において、説明を容易にするために、各図中にｘｙｚ直交座標系の座標軸を示す。
【００２０】
ｚ軸は、光源１０の光軸に平行である。＋ｚ軸方向は、光源１０が光Ｌｉを出射する方向である。
【００２１】
ｙ軸は、照明器具２００が光Ｌｓ，Ｌｌを出射する方向に平行である。照明器具２００の上下方向である。−ｙ軸方向は、照明器具２００が光Ｌｓ，Ｌｌを出射する方向である。
【００２２】
ｘ軸はｙｚ平面に垂直である。
【００２３】
実施の形態１．
以下、実施の形態１について、図１から図９を用いて説明する。以下の各図面においては、構成要素によって寸法の縮尺を異ならせて示すことがある。
【００２４】
＜照明器具２００の構成＞
以下に、照明器具２００の構成について図１および図２を参照して説明する。図１は、実施形態１に係る照明器具２００の概略構成を示す構成図である。図２は、実施形態１に係る照明器具２００の概略構成を示す構成図である。
【００２５】
照明器具２００は、光源１０および拡散体１２を備える。照明器具２００は、光吸収体１７を備えることができる。また、照明ユニット１００は、光源１０および拡散体１２を備えている。照明ユニット１００は、光源１０と拡散体１２との対の構成である。
【００２６】
≪光源１０≫
図３は、実施の形態１に係る光源１０の概略構成を示す構成図である。
【００２７】
光源１０は、光Ｌｉを発する。光源１０は、光Ｌｉを出射する。光源１０は、例えば、白色光を出射する。光源１０は、第１の相関色温度の光Ｌｉを発する光源である。第１の相関色温度は例えば６５００Ｋである。「相関色温度」とは、発光体の色と最も近い色に見える黒体放射の色温度を意味する。
【００２８】
なお、実施の形態の説明では、説明を容易にするために「第１」または「第２」などを用いているものである。そのため、例えば、「第１」と「第２」とを入れ替えて説明しても問題はない。
【００２９】
光源１０は、例えば、ＬＥＤ光源である。光源１０には、例えば、基板２１上に複数のＬＥＤ素子２０が配列されている。複数のＬＥＤ素子２０は、例えば、ｙ軸方向に配列されている。各ＬＥＤ素子２０の発する光の色温度は、例えば、同一である。また、各ＬＥＤ素子２０の発する光の色温度は、各々異なっていてもよい。ＬＥＤ素子２０が発する光は、赤色、緑色または青色の３色であっても良い。ＬＥＤ素子２０は、発光素子の一例である。
【００３０】
また、例えば、光源１０は１つのＬＥＤ素子２０を備えることができる。その場合には、ＬＥＤ素子２０は、光源１０と同等に扱われる。そして、光源１０は複数配列されている。
【００３１】
また、ＺＥＢ（Ｚｅｒｏ  Ｅｎｅｒｇｙ  Ｂｕｉｌｄｉｎｇ）を考慮して、外光（太陽光）などを導光して光源１０とすることができる。外光の導光には、光ファイバまたは導光体などを用いることができる。この場合には、例えば、光ファイバの光を出射する端面が発光面１１となる。
【００３２】
「ＺＥＢ」とは、一次エネルギーの年間利用量をゼロにする、または、限りなくゼロに近づけた建築物のことである。一次エネルギーは、化石燃料または太陽熱など自然から直接得られるエネルギー源のことである。これらを加工した電気または都市ガスは二次エネルギーと呼ばれる。
【００３３】
また、光源１０から出射される光Ｌｉの色は白色以外の色でも良い。例えば、光源１０は、白色ＬＥＤと緑色系のＬＥＤを含むことができる。なお、後に、光源１０が白色の光、緑色の光および橙色の光を含む例を説明している。
【００３４】
光源１０は光Ｌｉを出射する発光面１１を備える。発光面１１は、例えば、拡散体１２の入射面１３に対向して配置される。光源１０は、例えば、拡散体１２の入射面１３に沿って配置される。光源１０は、例えば、拡散体１２の入射面１３に沿って複数配置されている。ＬＥＤ素子２０は、例えば、拡散体１２の入射面１３に沿って複数配置されている。
【００３５】
≪拡散体１２≫
図４は、実施形態１に係る拡散体１２を説明する図である。
【００３６】
拡散体１２は、入射面１３、出射面１４および反射面１６を備えている。拡散体１２は、背面１５を備えることができる。拡散体１２は、例えば、板形状である。または、拡散体１２は、例えば、棒形状である。拡散体１２は、光源１０が発した光Ｌｉを入射する。拡散体１２は、入射した光Ｌｉを導光する。
【００３７】
拡散体１２は、拡散部１２ａを備えている。拡散部１２ａは、粒子１２２としてのナノ粒子を含んでいる。拡散部１２ａは、入射された光Ｌｔを導光して粒子１２２で散乱させて散乱光Ｌｓとする。出射領域１４ａは、拡散部１２ａに形成されている。光Ｌｔは、拡散体１２内を導光されている光Ｌｉである。出射領域１４ａを領域１４ａとも言う。
【００３８】
入射面１３は、光Ｌｉを入射する。入射面１３は、光源１０が発した光Ｌｉを入射する。入射面１３は、光源１０の発光面１１に対向して配置されている。拡散体１２は、光源１０の＋ｚ軸側に配置されている。
【００３９】
入射面１３は、拡散部１２ａの端部２３ａに形成されている。入射面１３は、拡散体１２の−ｚ軸側の端部２３ａに形成されている。端部２３ａは、例えば、拡散体１２の板形状の側面を含んでいる。また、拡散体１２が棒形状の場合には、端部２３ａは棒形状の底面を含んでいる。
【００４０】
出射面１４は、粒子１２２で散乱された光Ｌｓを出射する。出射面１４は、拡散体１２内を導光された光Ｌｔを出射する。出射面１４は、反射面１６で反射された反射光Ｌｌを出射する。出射面１４は、拡散体１２の−ｙ軸側に形成されている。出射面１４は、例えば、ｚｘ平面に平行に配置されている。出射面１４は、拡散体１２の板形状の１つの面の上に形成されている。
【００４１】
背面１５は、出射面１４と対向している。背面１５は、拡散体１２の＋ｙ軸側に形成されている。背面１５は、例えば、ｚｘ平面に平行に配置されている。拡散体１２に入射した光Ｌｔは、出射面１４と背面１５とで反射されて拡散体１２内を導光される。拡散体１２に入射した光Ｌｔは、例えば、反射によって導光される。光Ｌｔは反射によって導光される。ここでの反射は、例えば、全反射である。
【００４２】
反射面１６は、拡散体１２内を導光された光Ｌｔを反射する。反射面１６は、光Ｌｔを−ｙ軸方向に反射する。反射面１６は、例えば、出射面１４側を向くように傾斜している。
【００４３】
反射面１６は、入射面１３を除く、拡散体１２の少なくとも１つの端部に形成されている。端部は、拡散体１２の端面を含んでいる。反射面１６は、拡散体１２の端部２３ｂに形成されている。反射面１６は、拡散体１２の＋ｚ軸側の端部２３ｂに形成されている。実施の形態１では、簡単のため、入射面１３に対向する端部２３ｂにのみ反射面１６は備えられている。端部２３ｂは、反射面１６を含んでいる。しかし、入射面１３に対向する端部２３ｂ以外の端部にも反射面１６を備えることができる。
【００４４】
端部２３ｂは、拡散部１２ａを導光された光Ｌｔが到達する部分である。領域１４ｂは、端部２３ｂに形成されている。端部２３ｂは、領域１４ｂを含んでいる。
【００４５】
反射面１６は、端部２３ｂに形成されている。反射面１６は、拡散部１２ａを導光された光Ｌｔが到達する端部２３ｂに形成されている。反射面１６は、粒子１２２で散乱されずに導光された光Ｌｔを反射光Ｌｌとして反射する。
【００４６】
端部２３ｂは、例えば、拡散体１２の板形状の側面を含んでいる。また、拡散体１２が棒形状の場合には、端部２３ｂは棒形状の底面を含んでいる。
【００４７】
反射面１６は、例えば、拡散反射面である。拡散反射面は、例えば、白色塗装によって得られる。実施の形態１においては、例えば、反射面１６は拡散反射面である。ただし、反射面１６は拡散反射面に限らず、鏡面または全反射面であってもよい。
【００４８】
拡散体１２は、基材１２１と粒子１２２とを備えている。
【００４９】
粒子１２２は、ナノオーダーの粒子である。粒子１２２は、粒径がナノオーダーの粒子である。つまり、粒子１２２は、ナノ粒子である。「ナノ粒子」とはナノメートル［ｎｍ］オーダーの大きさを持つ粒子のことである。ナノ粒子は、一般的には、１ｎｍから数百ｎｍの大きさの粒子をいう。
【００５０】
粒子１２２は、球形または別の形状をとり得る。粒子１２２の粒径は、好ましくは６０ｎｍから１５０ｎｍまでの範囲にある。つまり、粒子１２２の粒径は、好ましくは６０ｎｍ以上であり、１５０ｎｍ以下である。
【００５１】
粒子１２２は、例えば、無機酸化物である。無機酸化物は、ＺｎＯ、ＴｉＯ２、ＺｒＯ２、ＳｉＯ２およびＡｌ２Ｏ３などである。
【００５２】
基材１２１は、粒子１２２を含んでいる。粒子１２２は、基材１２１に添加されている。基材１２１は、光を透過する材料である。
【００５３】
基材１２１は、例えば、固体である。基材１２１は、例えば、熱可塑性ポリマー、熱硬化性樹脂または光重合性樹脂などを用いた樹脂フィルムから形成されている。また、樹脂フィルムとしては、アクリル系ポリマー、オレフィン系ポリマー、ビニル系ポリマー、セルロース系ポリマー、アミド系ポリマー、フッ素系ポリマー、ウレタン系ポリマー、シリコーン系ポリマーまたはイミド系ポリマーなどを用いることができる。
【００５４】
基材１２１は、例えば、液体である。基材１２１は、光を透過する液体である。基材１２１は、水でもよい。液体は、容器に充填されている。基材１２１は、ゲル状の物質でもよい。ゲル状の物質は、容器に充填されている。容器は、光を透過する材料で形成されている。液体またはゲル状の物質を充填した容器は、光を透過する材料で形成されている。容器は、例えば、アクリル系ポリマーを材料で形成されている。
【００５５】
≪光吸収体１７≫
光吸収体１７は、光を吸収する。光吸収体１７は、光を吸収する特性を備える。光吸収体１７は、例えば、黒色をしている。光吸収体１７は、例えば、黒色の塗装により得られる。
【００５６】
光吸収体１７は、拡散体１２の背面１５に対向して配置されている。光吸収体１７は、拡散体１２に対して＋ｙ側に配置される。光吸収体１７は、拡散体１２に対して領域１４ａと反対側に配置されている。光吸収体１７は、拡散体１２に対して背面１５側に配置されている。光吸収体１７は、拡散体１２の背面１５から出射した光を吸収する。光吸収体１７は、拡散体１２の背面１５から出射した光が出射面１４から出射されることを抑える。背面１５から出射した光は、光Ｌｔを含んでいる。背面１５から出射した光は、光Ｌｓを含んでいる。
【００５７】
＜照明器具２００の効果＞
≪レイリー散乱≫
以下に、光の散乱現象の１つであるレイリー散乱について図５を参照して説明する。図５は、実施形態１に係る単一の粒子１２２によるレイリー散乱の散乱光の強度角度分布の一例を示す図である。
【００５８】
粒子１２２に衝突する光は、例えば、光源１０から出射された光Ｌｉで説明されている。粒子１２２に衝突する光は、拡散体１２内を導光される光Ｌｔであってもよい。縦軸Ｚは、光Ｌｉの進行方向に平行な軸である。光Ｌｉは＋Ｚ軸方向に進行している。横軸Ｘは、縦軸Ｚに直交する軸である。
【００５９】
粒子の粒径が可視光の波長よりも小さい場合には、光線が粒子に衝突するとレイリー散乱が生じる。可視光の波長は、例えば、３８０ｎｍから７８０ｎｍの範囲である。具体的には、粒子の粒径ｄと光の波長λとによって表されるサイズパラメーターαが以下の式（１）を満たす場合にレイリー散乱が生じる。なお、式において、「・」は乗算を表す。
α＜＜π・ｄ/λ ・・・（１）
【００６０】
レイリー散乱おいて、散乱断面積σは、粒径ｄ、光の波長λおよび相対屈折率ｍを用いて式（２）で表される。相対屈折率ｍは、基材１２１の屈折率ｎ１２１に対する粒子１２２の屈折率ｎ１２２の比（ｎ１２２/ｎ１２１）で表される。散乱断面積σは、散乱が生じる確率を表すパラメータである。
σ＝８π/３・（ｄ６/λ４）・（ｍ２−１）２/（ｍ２＋２）２ ・・・（２）
【００６１】
式（２）から、レイリー散乱における散乱断面積σは、光の波長λの４乗に反比例する。このため、レイリー散乱においては、短波長の光ほど散乱される確率が高い。例えば、同じ粒径ｄと屈折率ｎの粒子に光線が入射する場合には、青色光の方が赤色光に比べ４倍程度散乱される確率が高い。青色光の波長λは、例えば、４５０ｎｍである。赤色光の波長λは、例えば、６５０ｎｍである。
【００６２】
図５は、無偏光の散乱光の強度分布を表している。粒子の粒径ｄは１００ｎｍである。粒子屈折率ｎは１．４３である。基材の屈折率は１．３３である。光の波長は４５０ｎｍである。
【００６３】
図５に示すように、レイリー散乱において、散乱光は全方位に放射される。このため、拡散体１２の端面から光を入射しても、端面に対して垂直な出射面１４から光を取り出すことができる。実施の形態１において、この端面は入射面１３である。
【００６４】
≪青空を模擬した拡散光の発生≫
以下に、青空を模擬した拡散光の発生原理について図６を参照して説明する。図６は、実施形態１に係る拡散体１２における青空を模擬した拡散光の発生原理を説明する図である。
【００６５】
図６に示すように、光源１０から発せられた光Ｌｉは、拡散体１２の入射面１３から入射する。入射面１３から入射した光Ｌｉは、光Ｌｔとして拡散体１２を導光される。光Ｌｔの一部は、粒子１２２に衝突する。粒子１２２に衝突した光Ｌｔは、全方位に散乱される。
【００６６】
散乱された光の内、出射面１４に臨界角未満の入射角で入射した光は、出射面１４から拡散光Ｌｓとして出射される。臨界角は、屈折率が大きいところから小さいところに光が向かうとき、全反射が起きる最も小さな入射角のことである。
【００６７】
このとき、式（２）から、レイリー散乱においては短波長の光ほど散乱される確率が高い。このことから、散乱光Ｌｓの相関色温度は、光源１０が発する光Ｌｉの相関色温度よりも高くなる。例えば、第１の相関色温度は、光源１０が発する光Ｌｉの相関色温度である。例えば、第２の相関色温度は、散乱光Ｌｓの相関色温度である。
【００６８】
散乱光Ｌｓの相関色温度は、光Ｌｉの相関色温度よりも高い。また、上述のように、「第１」および「第２」は、実施の形態の説明する上で、仮に付けたものである。
【００６９】
光Ｌｉが可視光の全域にわたってスペクトル分布を持つ場合には、青色の光が優先的に散乱される。光Ｌｉは、例えば、白色光である。光源１０は、例えば、白色ＬＥＤを備える。このため、適切に光源１０及び拡散体１２を設計することで、拡散光Ｌｓは実際の青空と同じ相関色温度となる。
【００７０】
また、レイリー散乱の散乱光は全方位に放射される。そのため、散乱光Ｌｓは、背面１５からも出射される。背面１５に臨界角未満の入射角で入射した光は、背面１５から出射される。背面１５から出射された光は、光吸収体１７によって吸収される。背面１５から出射された光は、光吸収面１８によって吸収される。光吸収面１８は、光吸収体１７に備えられている。
【００７１】
背面１５から拡散体１２の裏面側へ出射された光が吸収されることによって、照明器具２００を見る観察者は拡散体１２の奥行が無限大に増長されていると感じる。そして、観察者は、本物の青空を見上げている感覚を得る。このようにして、照明器具２００は、青空を模擬した拡散光Ｌｓを発生させる。
【００７２】
例えば、背面１５側に進行した光が反射して出射面１４から出射されると、観察者は、照明器具２００の背面１５側の構造を見ることができる。光吸収体１７を備えることで、照明器具２００の背面１５側の構造を見え難くすることができる。
【００７３】
また、例えば、外光が出射面１４から拡散体１２に入射して背面１５側で反射されると、外光と散乱光Ｌｓとが重畳されて出射面１４から出射される。この場合には、散乱光Ｌｓの青色が変色する。そのため、青空の模擬が難しくなる。光吸収体１７は、散乱光Ｌｓの変色を低減することができる。
【００７４】
なお、照明器具２００が外光の入らない環境で使用される場合には、光吸収体１７を省くことができる。光吸収体１７の代わりに、後述する光反射体５０を用いることで、散乱光Ｌｓの光量を増すことができる。ここで、外光は太陽光などである。
【００７５】
例えば、拡散体１２に対して出射面１４側を表面側とよぶ。また、拡散体１２に対して背面１５側を裏面側とよぶ。
≪太陽光を模擬した照明光の発生≫
【００７６】
図７は、実施形態１に係る拡散体１２における太陽光を模擬した照明光の発生原理を説明する図である。
【００７７】
図７に示すように、光源１０から発せられた光Ｌｉは拡散体１２の入射面１３から入射する。拡散体１２に入射した一部の光Ｌｉは、粒子１２２によって散乱されない。粒子１２２によって散乱されない光は、光Ｌｔである。光Ｌｔを伝搬光とも呼ぶ。
【００７８】
伝搬光Ｌｔは拡散体１２内を進行する。伝搬光Ｌｔは拡散体１２内を＋ｚ軸方向に進行する。そして、伝搬光Ｌｔは反射面１６に到達する。反射面１６は、拡散体１２の＋ｚ軸側の端面に備えられている。
【００７９】
反射面１６に到達した伝搬光Ｌｔは反射面１６によって反射される。ここでの反射は、例えば、拡散反射である。この場合には、反射面１６は照明光Ｌｌを発する拡散光源として機能する。反射光Ｌｌを照明光とも呼ぶ。
【００８０】
反射面１６に到達した伝搬光Ｌｔでは、短波長の光は長波長の光に比べて減衰している。短波長の光はレイリー散乱によって優先的に散乱されたからである。このため、照明光Ｌｌの相関色温度は光源１０から発せられた光Ｌｉの相関色温度に比べて低くなる。例えば、第３の相関色温度は、照明光Ｌｌの相関色温度である。光Ｌｉが可視光の全域にわたってスペクトル分布を持つ場合には、照明光Ｌｌの色温度は太陽光の相関色温度と同じ相関色温度となる。このようにして、照明器具２００は、太陽光を模擬した照明光Ｌｌを発生させる。
【００８１】
照明光Ｌｌが拡散光Ｌｓに比べて十分に明るい場合には、反射面１６は太陽光の日射に照らされた天窓の縁のように知覚される。そして、照明光Ｌｌは自然な印象を照明器具２００に与える。
【００８２】
例えば、光源１０の相関色温度を動的に変化させる。これによって、拡散光Ｌｓの相関色温度および照明光Ｌｌの相関色温度が動的に変化する。例えば、光源１０の光量を動的に変化させる。これによって、拡散光Ｌｓの光量および照明光Ｌｌの光量が動的に変化する。このようにして、適切に光源１０の相関色温度および光量を変化させることで、空の色および日差しの色が時間とともに変化しているように感じられる。そして、サーカディアンリズムを生むことが可能となる。
【００８３】
「サーカディアンリズム」とは、約２４時間周期で変動する生理現象である。動物および植物などほとんどの生物に存在している。一般的に「体内時計」とも言う。厳密な意味では、サーカディアンリズムは内在的に形成されるものである。しかし、光、温度または食事など外界からの刺激によって修正される。
【００８４】
＜変形例１＞
以下、変形例１に関して図８及び図９を用いて説明する。図８は、変形例１に係る照明器具２１０の概略構成を示す構成図である。図９は、変形例１に係る照明器具２１０の概略構成を示す構成図である。
【００８５】
変形例１の照明器具２１０において、照明器具２００と共通する構成要素には同じ符号を付し、その説明を省略する。
【００８６】
照明器具２１０は、２つの照明ユニット１００を備えている。２つの照明ユニット１００は、重ねて配置されている。２つの照明ユニット１００は、ｙ軸方向に重ねて配置されている。照明ユニット１００ａは、照明器具２１０の−ｙ軸側に配置されている。照明ユニット１００ｂは、照明器具２１０の＋ｙ軸側に配置されている。照明ユニット１００ａは、照明ユニット１００ｂの−ｙ軸側に配置されている。照明ユニット１００ａの拡散体１２の背面１５は、照明ユニット１００ｂの拡散体１２の出射面１４と対向している。
【００８７】
２つの照明ユニット１００は、互いに、ｙ軸を中心に１８０°回転して配置されている。照明ユニット１００ａでは、例えば、光源１０は拡散体１２の−ｚ軸側に配置されている。反射面１６は、拡散体１２の＋ｚ軸側に位置している。一方、照明ユニット１００ｂでは、光源１０は拡散体１２の＋ｚ軸側に配置されている。反射面１６は、拡散体１２の−ｚ軸側に位置している。
【００８８】
照明ユニット１００ａの端部２３ａと照明ユニット１００ｂの端部２３ｂとは同じ側となるように配置されている。また、照明ユニット１００ａの端部２３ｂと照明ユニット１００ｂの端部２３ａとは同じ側となるように配置されている。一組の照明ユニット１００ａ，１００ｂの端部２３ａと端部２３ｂとは同じ側となるように配置されている。
【００８９】
光吸収体１７は、照明ユニット１００ｂの＋ｙ軸側に配置されている。光吸収体１７は、照明ユニット１００ｂの背面側に配置されている。例えば、後述する光反射体５０も照明ユニット１００ｂの＋ｙ軸側に配置される。光反射体５０も照明ユニット１００ｂの背面側に配置される。
【００９０】
照明ユニット１００ｂから出射された拡散光Ｌｓは、照明ユニット１００ａの拡散体１２を透過して、照明ユニット１００ａの出射面１４から出射される。照明ユニット１００ｂから出射された照明光Ｌｌは、例えば、照明ユニット１００ａの光源１０と拡散体１２との間を通って照明器具２１０から出射される。
【００９１】
なお、照明ユニット１００ｂから出射された照明光Ｌｌは、照明ユニット１００ａの拡散体１２の端部２３ａを透過して照明器具２１０から出射されてもよい。
【００９２】
照明ユニット１００ａ，１００ｂは、出射領域１４ａを同じ方向として、拡散体１２を重ねて配置されている。照明器具２１０は、複数の照明ユニット１００ａ，１００ｂから出射される散乱光Ｌｓを重ね合わせて出射する。
【００９３】
照明器具２１０は、２つの照明ユニット１００を積層することによって、照明器具のデザインを変更することができる。また、照明器具２１０は、照明器具２００よりも光量を大きくすることができる。
【００９４】
＜変形例２＞
≪変形例２−１≫
以下、変形例２に関して図１０（Ａ）、図１０（Ｂ）および図１１を用いて説明する。図１０（Ａ）および図１１は、変形例２に係る照明器具２２０の概略構成を示す構成図である。図１０（Ｂ）は、拡散体１２の端部２３ｂの部分的な斜視図である。
【００９５】
変形例２に示す照明器具２２０において、照明器具２００、２１０と共通する構成要素には同じ符号を付し、その説明を省略する。
【００９６】
なお、説明を容易にするために、以下の説明では、一例として、端部２３ａ，２３ｂを端面２３ａ，２３ｂとして説明する場合がある。
【００９７】
照明器具２２０の光源１０ａは、照明器具２００の光源１０に相当する。照明器具２２０で説明する光Ｌｉａは、照明器具２００で説明した光Ｌｉに相当する。照明器具２２０の入射面１３ａは、照明器具２００の入射面１３に相当する。照明器具２２０の反射面１６ａは、照明器具２００の反射面１６に相当する。
【００９８】
光源１０ａは入射面１３ａと対向して配置されている。光源１０ａは光Ｌｉａを発する。光源１０ｂは入射面１３ｂと対向して配置されている。光源１０ｂは光Ｌｉｂを発する。光源１０ａと光源１０ｂとは、例えば、同じ構造および性能の光源である。
【００９９】
拡散体１２は、端部２３ａおよび端部２３ｂを備える。端部２３ａ，２３ｂは拡散部１２ａの端部に位置している。図１０（Ａ）に示すように、照明器具２２０において、例えば、端部２３ａ，２３ｂは拡散体１２の板形状の端面を含んでいる。
【０１００】
光源１０ａから出射された光Ｌｉａは、光Ｌｔａとして導光される。拡散部１２ａは、入射された光Ｌｔａを導光して粒子１２２で散乱させて散乱光Ｌｓａとする。入射された光Ｌｔａは、例えば、全反射によって導光される。散乱光Ｌｓａは、出射領域１４ａから出射される。
【０１０１】
光源１０ｂから出射された光Ｌｉｂは、光Ｌｔｂとして導光される。拡散部１２ａは、入射された光Ｌｔｂを導光して粒子１２２で散乱させて散乱光Ｌｓｂとする。入射された光Ｌｔｂは、例えば、全反射によって導光される。散乱光Ｌｓｂは、出射領域１４ａから出射される。
【０１０２】
端部２３ａは、光Ｌｔｂが到達する部分である。端部２３ａは、光Ｌｔｂが導光されて到達する部分である。端部２３ｂは、光Ｌｔａが到達する部分である。端部２３ｂは、光Ｌｔａが導光されて到達する部分である。
【０１０３】
散乱光Ｌｓａの相関色温度は、光Ｌｉａの相関色温度よりも高い。散乱光Ｌｓｂの相関色温度は、光Ｌｉｂの相関色温度よりも高い。
【０１０４】
端部２３ａは、例えば、端部２３ｂと対向する位置に形成されている。端部２３ａの端面は、端部２３ｂの端面と対向する位置に形成されている。拡散体１２は、端部２３ａの端面および端部２３ｂの端面を含む板形状である。
【０１０５】
入射面１３ａは、端部２３ａに形成されている。入射面１３ａは、端部２３ａの端面に形成されている。入射面１３ａは、光Ｌｉａを入射する。
【０１０６】
入射面１３ｂは、端部２３ｂに形成されている。入射面１３ｂは、端部２３ｂの端面に形成されている。入射面１３ｂは、光Ｌｉｂを入射する。
【０１０７】
入射面１３ａ，１３ｂは、拡散部１２ａと一体で形成されている。しかし、入射面１３ａ，１３ｂは、拡散部１２ａと別部品で形成されてもよい。
【０１０８】
反射面１６ａは、端部２３ｂの端面に形成されている。反射面１６ａは、端部２３ｂに形成されている。反射面１６ａは、光Ｌｔａを反射する。光Ｌｔａは、光Ｌｉａが粒子１２２で散乱されずに導光された光である。光Ｌｔａは、光Ｌｉａが粒子１２２で散乱されずに拡散部１２ａの内部を導光された光である。反射面１６ａは、導光された光Ｌｔａを反射する。そして、反射面１６ａは、光Ｌｔａを反射光Ｌｌａに変換する。
【０１０９】
反射面１６ｂは、端部２３ａの端面に形成されている。反射面１６ｂは、端部２３ａに形成されている。反射面１６ｂは、光Ｌｔｂを反射する。光Ｌｔｂは、光Ｌｉｂが粒子１２２で散乱されずに導光された光である。光Ｌｔｂは、光Ｌｉｂが粒子１２２で散乱されずに拡散部１２ａの内部を導光された光である。反射面１６ｂは、導光された光Ｌｔｂを反射する。そして、反射面１６ｂは、光Ｌｔｂを反射光Ｌｌｂに変換する。
【０１１０】
反射面１６ａは入射面１３ａと対向して配置されている。反射面１６ａの中心と入射面１３ａの中心とが互いに対向することが望ましい。反射面１６ｂは入射面１３ｂと対向して配置されている。反射面１６ｂの中心と入射面１３ｂの中心とが互いに対向することが望ましい。
【０１１１】
反射面１６ａ，１６ｂは、拡散部１２ａと一体で形成されている。反射面１６ａ，１６ｂが拡散部１２ａと一体で形成されている場合には、部品点数を抑えることができる。そして、量産性を向上させることができる。しかし、反射面１６ａ，１６ｂと領域１４ｂ，１４ｃとの間に粒子１２２が含まれる可能性がある。つまり、端部２３ａ，２３ｂに粒子１２２が含まれる可能性がある。この場合には、反射面１６ａ，１６ｂに到達する光Ｌｔは散乱される。そして、反射面１６ａ，１６ｂに到達する光Ｌｔの指向性は低下する。また、散乱光Ｌｓａ，Ｌｓｂと同様に反射光Ｌｌは散乱光を含む。そのため、領域１４ｂ，１４ｃから出射される照明光Ｌｌの出射方向の制御が困難になる。そして、反射光Ｌｌは領域１４ａから出射される可能性がある。
【０１１２】
また、反射面１６ａ，１６ｂは、拡散部１２ａと別部品で形成されてもよい。この場合には、反射面１６ａ，１６ｂに到達する光Ｌｔは散乱されなくなる。そのため、反射面１６ａ，１６ｂに到達する光Ｌｔの指向性が向上する。また、反射光Ｌｌは散乱光を含まない。そのため、領域１４ｂ，１４ｃから出射される照明光Ｌｌの出射方向の制御が容易になる。しかし、部品点数は増加する。
【０１１３】
端部２３ａ，２３ｂは、拡散部１２ａと一体で形成されている。しかし、端部２３ａ，２３ｂは、拡散部１２ａと別部品で形成されてもよい。この場合には、端部２３ａ，２３ｂに粒子１２２を含まないようにすることが容易になる。
【０１１４】
入射面１３ａと反射面１６ｂとは、互いに隣り合って配置されている。入射面１３ａと反射面１６ｂとは、並んで配置されている。入射面１３ａと反射面１６ｂとは、端部２３ａにおいて並んで配置されている。入射面１３ａと反射面１６ｂとは、拡散体１２の板形状の端面上において並んで配置されている。入射面１３ａと反射面１６ｂとは、ｘ軸方向に並んで配置されている。入射面１３ａと反射面１６ｂとは、端部２３ａにおいて板形状の厚みに垂直な方向の異なる位置に配置されている。入射面１３ａと反射面１６ｂとは、拡散体１２の板形状の端部２３ａの端面上で、板形状の厚み方向に垂直な方向において異なる位置に配置されている。
【０１１５】
入射面１３ｂと反射面１６ａとは、互いに隣り合って配置されている。入射面１３ｂと反射面１６ａとは、並んで配置されている。入射面１３ｂと反射面１６ａとは、端部２３ｂにおいて並んで配置されている。入射面１３ｂと反射面１６ａとは、拡散体１２の板形状の端面上において並んで配置されている。入射面１３ｂと反射面１６ａとは、ｘ軸方向に並んで配置されている。入射面１３ｂと反射面１６ａとは、端部２３ｂにおいて板形状の厚みに垂直な方向の異なる位置に配置されている。入射面１３ｂと反射面１６ａとは、拡散体１２の板形状の端部２３ｂの端面上で、板形状の厚み方向に垂直な方向において異なる位置に配置されている。
【０１１６】
光源１０ａから出射された光Ｌｉａは、入射面１３ａから拡散体１２に入射する。入射面１３ａから入射した光Ｌｉａは、光Ｌｔａとして導光される。拡散体１２に入射した光Ｌｉａは、粒子１２２によって散乱される。拡散体１２内を導光される光Ｌｔａは、粒子１２２によって散乱される。粒子１２２によって散乱された光は、拡散光Ｌｓａとして領域１４ａから出射される。散乱光Ｌｓａは、領域１４ａから出射される。
【０１１７】
光Ｌｔａは、粒子１２２によって散乱されずに反射面１６ａに到達した光である。光Ｌｔａは、粒子１２２によって散乱されずに反射面１６ａに到達する光である。光Ｌｔａは、反射面１６ａによって反射される。反射面１６ａによって反射された光Ｌｔａは、領域１４ｂから照明光Ｌｌａとして出射される。照明光Ｌｌａは、領域１４ｂから出射される。領域１４ｂは、端部２３ｂに形成されている。
【０１１８】
光源１０ｂから出射された光Ｌｉｂは、入射面１３ｂから拡散体１２に入射する。入射面１３ｂから入射した光Ｌｉｂは、光Ｌｔｂとして導光される。拡散体１２に入射した光Ｌｉｂは、粒子１２２によって散乱される。拡散体１２内を導光される光Ｌｔｂは、粒子１２２によって散乱される。粒子１２２によって散乱された光は、拡散光Ｌｓｂとして領域１４ａから出射される。拡散光Ｌｓｂは、領域１４ａから出射される。
【０１１９】
光Ｌｔｂは、粒子１２２によって散乱されずに反射面１６ｂに到達した光である。光Ｌｔｂは、粒子１２２によって散乱されずに反射面１６ｂに到達する光である。光Ｌｔｂは、反射面１６ｂによって反射される。反射面１６ｂによって反射された光Ｌｔｂは、領域１４ｃから照明光Ｌｌｂとして出射される。照明光Ｌｌｂは、領域１４ｃから出射される。領域１４ｃは、端部２３ａに形成されている。領域１４ｃは、領域１４ａおよび出射領域１４ｂとは異なる領域である。
【０１２０】
照明器具２２０は、拡散体１２の２つの端部２３ａ，２３ｂから光Ｌｉａ，Ｌｉｂを入射する。これによって、ｚ軸方向に生じる領域１４ａ上の色のムラおよび輝度ムラは抑制される。ｚ軸方向は、光Ｌｔａ，Ｌｔｂの進行方向である。例えば、光Ｌｔの導光される距離が長い場合には、反射面１６の近くでは青色の光Ｌｓの光量が低下する場合がある。この場合には、拡散体１２の２つの端部２３ａ，２３ｂから光Ｌｉａ，Ｌｉｂを入射することによって、領域１４ａ上の色のムラを低減することができる。
【０１２１】
≪変形例２−２≫
以下、変形例２の別の実施の形態に関して図１１を用いて説明する。
【０１２２】
図１１に示すように、照明器具２２０は光源１０ｃを備えてもよい。光源１０ｃは、光Ｌｉｃを出射する。光源１０ｃは、例えば、−ｙ軸方向に光Ｌｉｃを出射する。−ｙ軸方向は、光Ｌｓが出射面１４から出射される方向である。
【０１２３】
光源１０ｃは、端部２３ａおよび端部２３ｂの少なくともいずれかに配置されている。光源１０ｃは、拡散体１２に対して領域１４ａの反対側に配置されている。光源１０ｃは、拡散体１２に対して出射面１４の反対側に配置されている。つまり、光源１０ｃは、拡散体１２の背面１５側に配置されている。光源１０ｃは、拡散体１２の板形状の厚み方向において、拡散体１２に対して領域１４ａの反対側に配置されている。光源１０ｃは、拡散体１２の板形状の厚み方向において、拡散体１２に対して出射面１４の反対側に配置されている。
【０１２４】
光源１０ｃは、端部２３ａに形成される領域１４ｃと対向する背面１５上の領域から光Ｌｉｃを入射させる。光源１０ｃは、端部２３ｂに形成される領域１４ｂと対向する背面１５上の領域から光Ｌｉｃを入射させる。光源１０ｃは、端部２３ａに形成される領域１４ｃと対向する背面１５上の領域および端部２３ｂに形成される領域１４ｂと対向する背面１５上の領域の少なくともいずれかから光Ｌｉｃを入射させる。
【０１２５】
光Ｌｉｃは、端部２３ａを透過して出射される。光Ｌｉｃは、端部２３ｂを透過して出射される。光Ｌｉｃは、光源１０ｃが光Ｌｉｃを入射させた端部２３ａまたは端部２３ｂを透過して出射される。
【０１２６】
光Ｌｉｃは、領域１４ｂから出射される。領域１４ｂは、端部２３ｂに形成されている。光Ｌｉｃは、領域１４ｃから出射される。領域１４ｃは、端部２３ａに形成されている。光Ｌｉｃは、光源１０ｃが光Ｌｉｃを入射させた端部２３ａの領域１４ｃおよび光源１０ｃが光Ｌｉｃを入射させた端部２３ｂの領域１４ｂの少なくともいずれかから出射される。
【０１２７】
光源１０ｃは、例えば、ｘ軸方向において光源１０ａ，１０ｂと同じ位置に配置されている。光源１０ｃは、例えば、拡散体１２の板形状の厚み方向に垂直な方向において光源１０ａ，１０ｂと同じ位置に配置されている。
【０１２８】
また、図１０（Ｂ）に示すように、入射面１３ａ，１３ｂが形成されている部分は、反射面１６ａ，１６ｂに対して裏面（背面１５）側に突出している。この反射面１６ａ，１６ｂに対して裏面側に突出した部分は、拡散体１２の粒子１２２を含む領域に光Ｌｉを導光する部分である。拡散体１２の粒子１２２を含む領域は、拡散部１２ａである。
【０１２９】
この反射面１６ａ，１６ｂに対して裏面側に突出した部分は入射部１３５である。入射部１３５は、入射部１３５ａおよび入射部１３５ｂを含んでいる。入射部１３５ａには、入射面１３ａが形成されている。入射部１３５ｂには、入射面１３ｂが形成されている。光源１０ｃは、この反射面１６ａ，１６ｂに対して裏面側に突出した部分に対向して配置されている。光源１０ｃは、入射部１３５の位置に配置されている。光源１０ｃは、入射部１３５の裏面（背面１５）側に配置されている。
【０１３０】
光源１０ｃから出射された光Ｌｉｃは、入射部１３５を透過して、領域１４ｂ，１４ｃから出射される。光Ｌｉｃは、入射部１３５ａを透過して、領域１４ｃから出射される。光Ｌｉｃは、入射部１３５ｂを透過して、領域１４ｂから出射される。光Ｌｉｃは、拡散体１２を拡散体１２の厚み方向に透過する。
【０１３１】
照明器具２２０は、光源１０ｃを備えることによって、照明光Ｌｌの光量を増加させることができる。また、光源１０ｃから出射される光Ｌｉｃの色を制御することができる。これによって、照明器具２２０は、照明光Ｌｌの色を拡散光Ｌｓの色と独立して制御することができる。照明器具２２０は、照明光Ｌｌの色を光Ｌｉａ，Ｌｉｂの色と独立して制御することができる。
【０１３２】
また、光源１０ｃは、端部２３ａ，２３ｂに光Ｌｉｃを照射すればよい。そのため、光源１０ｃは、拡散体１２の近くに配置される。そして、光源１０ｃは、照明ユニット１２０の厚みの増加を抑えて配置することができる。
【０１３３】
≪変形例２−３≫
以下、変形例２の別の実施の形態に関して図１２および図１３を用いて説明する。
【０１３４】
図１２および図１３に示すように、照明器具２２０は光散乱体４０，４１を備えてもよい。図１２は、図１０（Ａ）、図１０（Ｂ）に示す照明器具２２０が光散乱体４０，４１を備えた構成を示した図である。図１３は、図１１に示す照明器具２２０が光散乱体４０，４１を備えた構成を示した図である。
【０１３５】
光散乱体４０は照明光Ｌｌａを透過して散乱させる。光散乱体４１は照明光Ｌｌｂを透過して散乱させる。図１３に示す照明器具２２０では、光散乱体４０，４１は光Ｌｉｃを透過して散乱させる。光散乱体４０は、照明光Ｌｌａおよび光Ｌｉｃを透過して散乱させる。光散乱体４１は、照明光Ｌｌｂおよび光Ｌｉｃを透過して散乱させる。なお、照明器具２００は、光散乱体４０を備えることができる。照明器具２００の光散乱体４０は、照明光Ｌｌを透過して散乱させる。
【０１３６】
光散乱体４０は、領域１４ｂから出射される照明光Ｌｌａおよび光Ｌｉｃを透過して散乱させる。光散乱体４０は、拡散体１２に対して、領域１４ａ側に配置されている。光散乱体４０は、拡散体１２に対して、領域１４ｂ側に配置されている。光散乱体４０は、拡散体１２に対して、出射面１４側に配置されている。光散乱体４０は、領域１４ｂを覆うように配置されている。
【０１３７】
光散乱体４１は、領域１４ｃから出射される照明光Ｌｌｂおよび光Ｌｉｃを透過して散乱させる。光散乱体４１は、拡散体１２に対して、領域１４ａ側に配置されている。光散乱体４１は、拡散体１２に対して、領域１４ｃ側に配置されている。光散乱体４１は、拡散体１２に対して、出射面１４側に配置されている。光散乱体４１は、領域１４ｃを覆うように配置されている。
【０１３８】
光散乱体４０，４１は、領域４０ａ，４１ａおよび領域４０ｂ，４１ｂを含んでいる。光散乱体４０，４１は、領域４０ａ，４１ａおよび領域４０ｂ，４１ｂの少なくともいずれかを含んでいる。光散乱体４０，４１は、領域４０ａ，４１ａを含んでいる。光散乱体４０，４１は、領域４０ｂ，４１ｂを含んでいる。
【０１３９】
領域４０ａは、領域１４ｂの−ｙ軸方向側に配置されている。領域４０ａは、例えば、領域１４ｂと対向して配置されている。領域４０ａは、領域１４ｂから出射される照明光Ｌｌａのうち発散角の小さな光を散乱させる。図１３に示す照明器具２２０では、領域４０ａは領域１４ｂから出射される光Ｌｉｃのうち発散角の小さな光も散乱させる。
【０１４０】
領域４０ｂは、出射面１４の領域１４ａと領域１４ｂとの間に配置されている。領域４０ｂは、領域１４ｂから出射される照明光Ｌｌａのうち領域４０ａで散乱される光よりも発散角の大きな光を散乱させる。図１３に示す照明器具２２０では、領域４０ｂは領域１４ｂから出射される光Ｌｉｃのうち領域４０ａで散乱される光よりも発散角の大きな光も散乱させる。
【０１４１】
領域４１ａは、領域１４ｃの−ｙ軸方向側に配置されている。領域４１ａは、例えば、領域１４ｃと対向して配置されている。領域４１ａは、領域１４ｃから出射される照明光Ｌｌｂのうち発散角の小さな光を散乱させる。図１３に示す照明器具２２０では、領域４１ａは領域１４ｃから出射される光Ｌｉｃのうち発散角の小さな光も散乱させる。
【０１４２】
領域４１ｂは、出射面１４の領域１４ａと領域１４ｃとの間に配置されている。領域４１ｂは、領域１４ｃから出射される照明光Ｌｌｂのうち領域４１ａで散乱される光よりも発散角の大きな光を散乱させる。図１３に示す照明器具２２０では、領域４１ｂは領域１４ｃから出射される光Ｌｉｃのうち領域４１ａで散乱される光よりも発散角の大きな光も散乱させる。
【０１４３】
照明光Ｌｌａ，Ｌｌｂは、光Ｌｔａ，Ｌｔｂが反射面１６ａ，１６ｂで反射された光である。光Ｌｔａ，Ｌｔｂは、粒子１２２で散乱されずに拡散体１２内を進行した光である。そのため、照明光Ｌｌａ，Ｌｌｂは指向性の高い光である。光散乱体４０，４１は、照明光Ｌｌａ，Ｌｌｂを照射領域の全体に照射させる。この場合には、例えば、反射面１６ａ，１６ｂは鏡面の反射面である。
【０１４４】
光Ｌｉｃは、入射部１３５を透過する光である。そのため、光Ｌｉｃは指向性の高い光である。光散乱体４０，４１は、光Ｌｉｃを照射領域の全体に照射させる。
【０１４５】
≪変形例２−４≫
以下、変形例２の別の実施の形態に関して図１４を用いて説明する。
【０１４６】
図１４に示すように、照明器具２２０は光源１０ｅを備えてもよい。
【０１４７】
照明器具２２０は、拡散体１２と光吸収体１７との間に光源１０ｅを備えている。光源１０ｅは、拡散体１２と光吸収体１７との間に配置されている。光源１０ｅは、拡散体１２に向けて光Ｌｉｅを出射する。光源１０ｅは、拡散体１２の背面１５に向けて光Ｌｉｅを出射する。
【０１４８】
光源１０ｅから出射される光Ｌｉｅは、拡散体１２の背面１５に向けて照射される。光Ｌｉｅは、拡散体１２の背面１５から拡散体１２に入射する。拡散体１２に入射した光Ｌｉｅの一部は、粒子１２２によって散乱される。粒子１２２によって散乱された光Ｌｉｅは、領域１４ａから出射される。粒子１２２によって散乱された光Ｌｉｅは、散乱光Ｌｓｅである。粒子１２２によって散乱されなかった光Ｌｉｅは、拡散体１２を透過する。粒子１２２によって散乱されなかった光Ｌｉｅは、領域１４ａから出射される。粒子１２２によって散乱されなかった光Ｌｉｅは、照明光として照射される。
【０１４９】
照明器具２２０は、光源１０ｅを追加することによって、散乱光Ｌｓの光量および照明光Ｌｌの光量を増加することができる。
【０１５０】
また、照明器具２２０は、日中に相当する時間だけ、光源１０ｅによって、太陽を模擬することができる。例えば、北半球の場合で、太陽が南中する時刻を昼の１２時とする。この場合に、照明器具２２０は、例えば、１０時から１４時までの間だけ光源１０ｅを点灯する。これによって、照明器具２２０は太陽を模擬することができる。そして、照明器具２２０はサーカディアンリズムを生むことができる。
【０１５１】
＜変形例３＞
≪変形例３−１≫
以下、変形例３に関して図１５から図２０を用いて説明する。図１５から図２０は、変形例３に係る照明器具２３０の概略構成を示す構成図である。
【０１５２】
変形例３に示す照明器具２３０において、照明器具２００，２１０，２２０と共通する構成要素には同じ符号を付し、その説明を省略する。
【０１５３】
図１５に示すように、照明器具２３０では、入射面１３ａ，１３ｂの位置および反射面１６ａ，１６ｂの位置が照明器具２２０の位置と相違する。
【０１５４】
入射面１３ａと反射面１６ｂとは、端部２３ａの端面上でｙ軸方向の異なる位置に配置されている。入射面１３ａと反射面１６ｂとは、端部２３ａの端面上で板形状の厚み方向の異なる位置に配置されている。入射面１３ａと反射面１６ｂとは、端部２３ａにおいて板形状の厚み方向の異なる位置に配置されている。
【０１５５】
入射面１３ｂと反射面１６ａとは、端部２３ｂの端面上でｙ軸方向の異なる位置に配置されている。入射面１３ｂと反射面１６ａとは、端部２３ｂの端面上で板形状の厚み方向の異なる位置に配置されている。入射面１３ｂと反射面１６ａとは、端部２３ｂにおいて板形状の厚み方向の異なる位置に配置されている。
【０１５６】
反射面１６ａは、入射面１３ｂに対して−ｙ軸方向に位置する。反射面１６ａは、端部２３ｂにおいて、入射面１３ｂよりも領域１４ｂの側に位置する。領域１４ｂは端部２３ｂに形成されている。反射面１６ａは、入射面１３ｂに対して板形状の厚み方向において出射面１４の側に位置している。反射面１６ａは、入射面１３ｂに対して板形状の厚み方向において領域１４ａの側に位置している。
【０１５７】
反射面１６ｂは、入射面１３ａに対して−ｙ軸方向に位置する。反射面１６ｂは、端部２３ａにおいて、入射面１３ａよりも領域１４ｃの側に位置する。領域１４ｃは端部２３ａに形成されている。反射面１６ｂは、入射面１３ａに対して板形状の厚み方向において出射面１４の側に位置している。反射面１６ｂは、入射面１３ａに対して板形状の厚み方向において領域１４ａの側に位置している。
【０１５８】
反射面１６ａは、ｘ軸方向において入射面１３ａと対向する位置に配置されている。反射面１６ａは、板形状の厚み方向に垂直な方向において入射面１３ａと対向する位置に配置されている。つまり、図１５において、ｘｙｚ座標で考えると、ｘ軸上の反射面１６ａの位置は、ｘ軸上の入射面１３ａの位置と同じである。なお、ｙ軸上の反射面１６ａの位置は、ｙ軸上の入射面１３ａの位置と異なる。
【０１５９】
反射面１６ｂは、ｘ軸方向において入射面１３ｂと対向する位置に配置されている。反射面１６ｂは、板形状の厚み方向に垂直な方向において入射面１３ｂと対向する位置に配置されている。つまり、図１５において、ｘｙｚ座標で考えると、ｘ軸上の反射面１６ｂの位置は、ｘ軸上の入射面１３ｂの位置と同じである。なお、ｙ軸上の反射面１６ｂの位置は、ｙ軸上の入射面１３ｂの位置と異なる。
【０１６０】
反射面１６ａ，１６ｂは、例えば、ｘ軸方向において端部２３ａ，２３ｂの端面の全域に形成されている。反射面１６ａ，１６ｂは、例えば、拡散体１２の板形状の厚み方向に垂直な方向において端部２３ａ，２３ｂの端面の全域に形成されている。
【０１６１】
光源１０ａは入射面１３ａと対向して配置されている。光源１０ｂは入射面１３ｂと対向して配置されている。
【０１６２】
光源１０ａから出射された光Ｌｉａは、入射面１３ａから拡散体１２に入射する。拡散体１２に入射した光Ｌｉａは、粒子１２２によって散乱される。拡散体１２内を導光される光Ｌｔａは、粒子１２２によって散乱される。粒子１２２によって散乱された光は、拡散光Ｌｓａとして領域１４ａから出射される。
【０１６３】
光Ｌｔａは、粒子１２２によって散乱されずに反射面１６ａに到達した光である。光Ｌｔａは、粒子１２２によって散乱されずに反射面１６ａに到達する光である。光Ｌｔａは、反射面１６ａによって反射される。反射面１６ａによって反射された光Ｌｔａは、領域１４ｂから照明光Ｌｌａとして出射される。
【０１６４】
光源１０ｂから出射された光Ｌｉｂは、入射面１３ｂから拡散体１２に入射する。拡散体１２に入射した光Ｌｉｂは、粒子１２２によって散乱される。拡散体１２内を導光される光Ｌｔｂは、粒子１２２によって散乱される。粒子１２２によって散乱された光は、拡散光Ｌｓｂとして領域１４ａから出射される。
【０１６５】
光Ｌｔｂは、粒子１２２によって散乱されずに反射面１６ｂに到達した光である。光Ｌｔｂは、粒子１２２によって散乱されずに反射面１６ｂに到達する光である。光Ｌｔｂは、反射面１６ｂによって反射される。反射面１６ｂによって反射された光Ｌｔｂは、領域１４ｃから照明光Ｌｌｂとして出射される。
【０１６６】
照明器具２３０は、拡散体１２の２つの端部２３ａ，２３ｂから光Ｌｉａ，Ｌｉｂを入射する。これによって、ｚ軸方向に生じる領域１４ａ上の色のムラおよび輝度ムラを抑制することができる。
【０１６７】
また、変形例２−１に示した照明器具２２０と比べて、変形例３−１に示した照明器具２３０は、入射面１３と反射面１６とを並べて配置する必要がない。そのため、そのため、ｘ軸方向に生じる領域１４ａ上の色のムラおよび輝度ムラを抑制することができる。
【０１６８】
≪変形例３−２≫
以下、変形例３の別の実施の形態に関して図１６を用いて説明する。
【０１６９】
図１６に示すように、照明器具２３０は導光部３０を備えてもよい。照明器具２３０は、反射面１６ａと拡散部１２ａとの間および反射面１６ｂと拡散部１２ａとの間の少なくともいずれかに導光部３０を備えている。導光部３０は、導光部３０ａおよび導光部３０ｂを含んでいる。導光部３０は、例えば、板形状をしている。
【０１７０】
照明器具２３０は、反射面１６ａと拡散部１２ａとの間に導光部３０ａ備えている。導光部３０ａは、反射面１６ａと拡散部１２ａとの間に位置している。導光部３０ａは、反射面１６ａと拡散部１２ａとを接続している。導光部３０ａは、端部２３ｂに含まれている。
【０１７１】
照明器具２３０は、反射面１６ｂと拡散部１２ａとの間に導光部３０ｂ備えている。導光部３０ｂは、反射面１６ｂと拡散部１２ａとの間に位置している。導光部３０ｂは、反射面１６ｂと拡散部１２ａとを接続している。導光部３０ｂは、端部２３ａに含まれている。
【０１７２】
導光部３０ａ，３０ｂは、例えば、ｘ軸方向において端部２３ａ，２３ｂの全域に形成されている。導光部３０ａ，３０ｂは、例えば、板形状の厚み方向に垂直な方向において端部２３ａ，２３ｂの全域に形成されている。
【０１７３】
領域３１は、導光部３０の−ｙ軸方向側の面である。領域３１は、導光部３０の−ｙ軸方向側の面に形成されている。領域３１は、導光部３０の表面側の面である。領域３１は、導光部３０の表面側の面に形成されている。領域３１は、領域３１ａおよび領域３１ｂを含んでいる。領域３１ａは、導光部３０ａに形成されている。領域３１ｂは、導光部３０ｂに形成されている。領域３１ａは、領域１４ａおよび領域１４ｂと異なる領域である。領域３１ｂは、領域１４ａおよび領域１４ｃと異なる領域である。
【０１７４】
端部２３ａは、入射面１３ａ、反射面１６ｂおよび導光部３０ｂを含んでいる。端部２３ｂは、入射面１３ｂ、反射面１６ａおよび導光部３０ａを含んでいる。
【０１７５】
反射面１６ａ，１６ｂは、例えば、ｘ軸方向において端部２３ａ，２３ｂの全域に形成されている。反射面１６ａ，１６ｂは、例えば、板形状の厚み方向に垂直な方向において端部２３ａ，２３ｂの全域に形成されている。
【０１７６】
導光部３０ａは、粒子１２２で散乱されずに拡散部１２ａの内部を導光された光Ｌｔａを反射面１６ａに導く。導光部３０ａは、粒子１２２で散乱されずに拡散部１２ａの内部を導光される光Ｌｔａを反射面１６ａに導く。導光部３０ｂは、粒子１２２で散乱されずに拡散部１２ａの内部を導光された光Ｌｔｂを反射面１６ｂに導く。
【０１７７】
照明光Ｌｌａは、反射面１６ａで反射された光Ｌｔａである。照明光Ｌｌａは領域１４ｂから出射される。また、照明光Ｌｌａは領域３１ａから出射されてもよい。照明光Ｌｌｂは、反射面１６ｂで反射された光Ｌｔｂである。照明光Ｌｌｂは領域１４ｃから出射される。また、照明光Ｌｌｂは領域３１ｂから出射されてもよい。
【０１７８】
入射面１３ａ，１３ｂは、拡散部１２ａと一体で形成されている。反射面１６ａ，１６ｂは、拡散部１２ａと一体で形成されている。導光部３０ａ，３０ｂは、拡散部１２ａと一体で形成されている。
【０１７９】
反射面１６ａ，１６ｂが拡散部１２ａと一体で形成されている場合には、部品点数を抑えることができる。そして、量産性を向上させることができる。しかし、反射面１６ａ，１６ｂと領域１４ｂ，１４ｃとの間に粒子１２２が含まれる可能性がある。反射面１６ａ，１６ｂと導光部３０ａ，３０ｂとの間に粒子１２２が含まれる可能性がある。この場合には、反射面１６ａ，１６ｂに到達する光Ｌｔは散乱される。そして、反射面１６ａ，１６ｂに到達する光Ｌｔの指向性は低下する。また、散乱光Ｌｓａ，Ｌｓｂと同様に反射光Ｌｌは散乱光を含む。そのため、領域１４ｂ，１４ｃまたは領域３１ａ，３１ｂから出射される照明光Ｌｌの出射方向の制御が困難になる。そして、反射光Ｌｌは領域１４ａから出射される可能性がある。
【０１８０】
また、反射面１６ａ，１６ｂは、拡散部１２ａと別部品で形成されてもよい。この場合には、反射面１６ａ，１６ｂに到達する光Ｌｔは散乱されなくなる。そのため、反射面１６ａ，１６ｂに到達する光Ｌｔの指向性が向上する。また、反射光Ｌｌは散乱光を含まない。そのため、領域１４ｂ，１４ｃまたは領域３１ａ，３１ｂから出射される照明光Ｌｌの出射方向の制御が容易になる。しかし、部品点数は増加する。
【０１８１】
導光部３０ａ，３０ｂが拡散部１２ａと一体で形成されている場合には、部品点数を抑えることができる。そして、量産性を向上させることができる。しかし、導光部３０ａ，３０ｂに粒子１２２が含まれる可能性がある。この場合には、反射面１６ａ，１６ｂに到達する光Ｌｔは散乱される。そして、反射面１６ａ，１６ｂに到達する光Ｌｔの指向性は低下する。そのため、領域１４ｂ，１４ｃまたは領域３１ａ，３１ｂから出射される照明光Ｌｌの出射方向の制御が困難になる。また、散乱光Ｌｓａ，Ｌｓｂと同様の波長の光が領域３１ａ，３１ｂから出射される可能性がある。
【０１８２】
また、導光部３０ａ，３０ｂは、拡散部１２ａと別部品で形成されてもよい。この場合には、反射面１６ａ，１６ｂに到達する光Ｌｔは散乱されなくなる。そのため、反射面１６ａ，１６ｂに到達する光Ｌｔの指向性が向上する。そのため、領域１４ｂ，１４ｃまたは領域３１ａ，３１ｂから出射される照明光Ｌｌの出射方向の制御が容易になる。散乱光Ｌｓａ，Ｌｓｂと同様の波長の光が領域３１ａ，３１ｂから出射される可能性は低下する。しかし、部品点数は増加する。
【０１８３】
また、入射面１３ａ，１３ｂは、拡散部１２ａと別部品で形成されてもよい。しかし、部品点数は増加する。
【０１８４】
導光部３０の長さを変更することによって、領域１４ｂ，１４ｃの位置を異なった位置に設定することができる。例えば、青空を模擬した領域１４ａから離れた位置に領域１４ｂ，１４ｃを配置することができる。これによって、照明光Ｌｌが光Ｌｓと混ざることが避けられる。そして、良質の青空を模擬した照明を得ることができる。
【０１８５】
また、照明光Ｌｌが領域３１から出射されることで、照明光Ｌｌに広がりを持たせることができる。そして、照明光Ｌｌの照射領域を広くすることができる。
【０１８６】
≪変形例３−３≫
以下、変形例３の別の実施の形態に関して図１７を用いて説明する。
【０１８７】
図１７に示すように、照明器具２３０は光源１０ｄを備えてもよい。光源１０ｄは、光Ｌｉｄを出射する。光源１０ｄは、例えば、−ｙ軸方向に光Ｌｉｄを出射する。−ｙ軸方向は、光Ｌｓが出射面１４から出射される方向である。
【０１８８】
光源１０ｄは、端部２３ａに配置されている。光源１０ｄは、端部２３ｂに配置されている。光源１０ｄは、端部２３ａおよび端部２３ｂの少なくともいずれかに配置されている。
【０１８９】
光源１０ｄは、導光部３０ａに対して光源１０ｂの側に配置されている。光源１０ｄは、導光部３０ｂに対して光源１０ａの側に配置されている。光源１０ｄは、導光部３０ａに対して光源１０ｂの側および導光部３０ｂに対して光源１０ａの側の少なくともいずれかに配置される。
【０１９０】
光源１０ｄは、導光部３０に対して領域１４ａと反対側に配置されている。光源１０ｄは、導光部３０に対して出射面１４と反対側に配置されている。光源１０ｄは、導光部３０に対して領域３１と反対側に配置されている。光源１０ｄは、拡散体１２の板形状の厚み方向において、導光部３０に対して領域１４ａと反対側に配置されている。光源１０ｄは、拡散体１２の板形状の厚み方向において、導光部３０に対して出射面１４と反対側に配置されている。光源１０ｄは、拡散体１２の板形状の厚み方向において、導光部３０に対して領域３１と反対側に配置されている。つまり、光源１０ｄは、導光部３０の背面１５側に配置されている。
【０１９１】
光源１０ｄは、例えば、ｘ軸方向において光源１０ａ，１０ｂと異なる位置に配置されている。光源１０ｄは、例えば、拡散体１２の板形状の厚み方向に垂直な方向において光源１０ａ，１０ｂと異なる位置に配置されている。
【０１９２】
光源１０ｄは、例えば、ｙ軸方向において光源１０ａ，１０ｂと異なる位置に配置されている。光源１０ｄは、例えば、拡散体１２の板形状の厚み方向において光源１０ａ，１０ｂと異なる位置に配置されている。
【０１９３】
光源１０ｄは、例えば、ｘ軸方向において光源１０ａ，１０ｂと同じ位置に配置されている。光源１０ｄは、例えば、拡散体１２の板形状の厚み方向に垂直な方向において光源１０ａ，１０ｂと同じ位置に配置されている。
【０１９４】
光源１０ｄは、例えば、ｙ軸方向において光源１０ａ，１０ｂと同じ位置に配置されている。光源１０ｄは、例えば、拡散体１２の板形状の厚み方向において光源１０ａ，１０ｂと同じ位置に配置されている。
【０１９５】
導光部３０ａは、端部２３ｂにおいて、反射面１６ａに対して領域１４ｂが形成される側と同じ側に領域３１ａを備えている。導光部３０ｂは、端部２３ａにおいて、反射面１６ｂに対して領域１４ｃが形成される側と同じ側に領域３１ｂを備えている。つまり、領域３１ａ，３１ｂは、拡散体１２の出射面１４側に形成されている。
【０１９６】
光Ｌｉｄは、導光部３０ａを透過して領域３１ａから出射される。光Ｌｉｄは、導光部３０ｂを透過して領域３１ｂから出射される。光Ｌｉｄは、光源１０ｄが備えられた導光部３０ａを透過して領域３１ａから出射され、または、光源１０ｄが備えられた導光部３０ｂを透過して領域３１ｂから出射される。
【０１９７】
光源１０ｄから出射された光Ｌｉｄは、導光部３０を透過して、領域３１から出射される。領域３１は、領域３１ａおよび領域３１ｂを含んでいる。光Ｌｉｄは、導光部３０を拡散体１２の厚み方向に透過する。光Ｌｉｄは、導光部３０を導光部３０の厚み方向に透過する。
【０１９８】
照明器具２３０は、光源１０ｄを備えることによって、照明光Ｌｌの光量を増加させることができる。また、光源１０ｄの色を制御することができる。これによって、照明器具２３０は、照明光Ｌｌの色を拡散光Ｌｓの色と独立して制御することができる。照明器具２３０は、照明光Ｌｌの色を光Ｌｉａ，Ｌｉｂの色と独立して制御することができる。
【０１９９】
≪変形例３−４≫
以下、変形例３の別の実施の形態に関して図１８および図１９を用いて説明する。
【０２００】
図１８および図１９に示すように、照明器具２３０は光散乱体４０，４１を備えてもよい。図１８は、図１６に示す照明器具２３０が光散乱体４０，４１を備えた構成を示した図である。図１９は、図１７に示す照明器具２３０が光散乱体４０，４１を備えた構成を示した図である。
【０２０１】
光散乱体４０は照明光Ｌｌａを透過して散乱させる。光散乱体４１は照明光Ｌｌｂを透過して散乱させる。図１９に示す照明器具２３０では、光散乱体４０，４１は、光Ｌｉｄを透過して散乱させる。
【０２０２】
光散乱体４０は、領域１４ｂから出射される照明光Ｌｌａを透過して散乱させる。光散乱体４０は、領域３１ａから出射される照明光Ｌｌａを透過して散乱させる。光散乱体４０は、領域３１ａから出射される光Ｌｉｄを透過して散乱させる。光散乱体４０は、拡散体１２に対して、領域１４ａ側に配置されている。光散乱体４０は、拡散体１２に対して、出射面１４側に配置されている。光散乱体４０は、拡散体１２に対して、領域１４ｂ側に配置されている。光散乱体４０は、拡散体１２に対して、領域３１ａ側に配置されている。光散乱体４０は、出射領域１４ｂを覆うように配置されている。光散乱体４０は、出射領域１４ｂおよび領域３１ａを覆うように配置されている。
【０２０３】
光散乱体４１は、領域１４ｃから出射される照明光Ｌｌｂを透過して散乱させる。光散乱体４１は、領域３１ｂから出射される照明光Ｌｌｂを透過して散乱させる。光散乱体４１は、領域３１ｂから出射される光Ｌｉｄを透過して散乱させる。光散乱体４１は、拡散体１２に対して、領域１４ａ側に配置されている。光散乱体４１は、拡散体１２に対して、出射面１４側に配置されている。光散乱体４１は、拡散体１２に対して、領域１４ｃ側に配置されている。光散乱体４１は、拡散体１２に対して、領域３１ｂ側に配置されている。光散乱体４１は、出射領域１４ｃを覆うように配置されている。光散乱体４１は、出射領域１４ｃおよび領域３１ｂを覆うように配置されている。
【０２０４】
光散乱体４０，４１は、領域４０ａ，４１ａおよび領域４０ｂ，４１ｂを含んでいる。
【０２０５】
領域４０ａは、領域１４ｂの−ｙ軸方向側に配置されている。領域４０ａは、例えば、領域１４ｂと対向して配置されている。領域４０ａは、領域１４ｂおよび領域３１ａの−ｙ軸方向側に配置されてもよい。領域４０ａは、例えば、領域１４ｂから出射される照明光Ｌｌａのうち発散角の小さな光を散乱させる。図１９に示す照明器具２３０では、領域４０ａは、例えば、領域３１ａから出射される光Ｌｉｄのうち発散角の小さな光も散乱させる。
【０２０６】
領域４０ｂは、出射面１４の領域１４ａと導光部３０ａの領域３１ａとの間に配置されている。領域４０ｂは、例えば、領域１４ｂから出射される照明光Ｌｌａのうち領域４０ａで散乱される光よりも発散角の大きな光を散乱させる。領域４０ｂは、領域３１ａから出射される照明光Ｌｌａを散乱させる。図１９に示す照明器具２３０では、領域４０ｂは、例えば、領域３１ａから出射される光Ｌｉｄのうち領域４０ａで散乱される光よりも発散角の大きな光を散乱させる。なお、図１８に示す光散乱体４０では、領域４０ｂは出射面１４の領域１４ｂと領域３１ａとの間に配置されてもよい。
【０２０７】
なお、図１５に示す照明器具２３０も光散乱体４０を備えることができる。この場合には、領域４０ｂは、出射面１４の領域１４ａと領域１４ｂとの間に配置されている。図１５に示す照明器具２３０では、領域４０ｂは、例えば、領域１４ｂから出射される光Ｌｉａのうち領域４０ａで散乱される光よりも発散角の大きな光を散乱させる。
【０２０８】
領域４１ａは、領域１４ｃの−ｙ軸方向側に配置されている。領域４１ａは、例えば、領域１４ｃと対向して配置されている。領域４１ａは、領域１４ｃおよび領域３１ｂの−ｙ軸方向側に配置されてもよい。領域４１ａは、例えば、領域１４ｃから出射される照明光Ｌｌｂのうち発散角の小さな光を散乱させる。図１９に示す照明器具２３０では、領域４１ａは、例えば、領域３１ｂから出射される光Ｌｉｄのうち発散角の小さな光も散乱させる。
【０２０９】
領域４１ｂは、出射面１４の領域１４ａと導光部３０ｂの領域３１ｂとの間に配置されている。領域４１ｂは、例えば、領域１４ｃから出射される照明光Ｌｌｂのうち領域４１ａで散乱される光よりも発散角の大きな光を散乱させる。領域４１ｂは、領域３１ｂから出射される照明光Ｌｌｂを散乱させる。図１９に示す照明器具２３０では、領域４１ｂは、例えば、領域３１ｂから出射される光Ｌｉｄのうち領域４１ａで散乱される光よりも発散角の大きな光を散乱させる。なお、図１８に示す光散乱体４１では、領域４１ｂは出射面１４の領域１４ｃと領域３１ｂとの間に配置されてもよい。
【０２１０】
なお、図１５に示す照明器具２３０も光散乱体４１を備えることができる。この場合には、領域４１ｂは、出射面１４の領域１４ａと領域１４ｃとの間に配置されている。図１５に示す照明器具２３０では、領域４１ｂは、例えば、領域１４ｃから出射される光Ｌｉｂのうち領域４１ａで散乱される光よりも発散角の大きな光を散乱させる。
【０２１１】
照明光Ｌｌａ，Ｌｌｂは、光Ｌｔａ，Ｌｔｂが反射面１６ａ，１６ｂで反射された光である。光Ｌｔａ，Ｌｔｂは、粒子１２２で散乱されずに拡散体１２内を進行した光である。そのため、照明光Ｌｌａ，Ｌｌｂは指向性の高い光である。光散乱体４０，４１は、照明光Ｌｌａ，Ｌｌｂを照射領域の全体に照射させる。なお、この場合には、例えば、反射面１６ａ，１６ｂは鏡面の反射面である。
【０２１２】
光Ｌｉｄは、導光部３０を透過した光である。そのため、光Ｌｉｄは指向性の高い光である。光散乱体４０，４１は、光Ｌｉｄを照射領域の全体に照射させる。
【０２１３】
≪変形例３−５≫
以下、変形例３の別の実施の形態に関して図２０を用いて説明する。
【０２１４】
図２０に示すように、照明器具２３０は光源１０ｅを備えてもよい。
【０２１５】
照明器具２３０は、拡散体１２と光吸収体１７との間に光源１０ｅを備えている。光源１０ｅは、拡散体１２と光吸収体１７との間に配置されている。光源１０ｅは、拡散体１２に向けて光Ｌｉｅを出射する。光源１０ｅは、拡散体１２の背面１５に向けて光Ｌｉｅを出射する。
【０２１６】
光源１０ｅから出射される光Ｌｉｅは、拡散体１２の背面１５に向けて照射される。光Ｌｉｅは、拡散体１２の背面１５から拡散体１２に入射する。拡散体１２に入射した光Ｌｉｅの一部は、粒子１２２によって散乱される。粒子１２２によって散乱された光Ｌｉｅは、領域１４ａから出射される。粒子１２２によって散乱された光Ｌｓｅは、領域１４ａから出射される。粒子１２２によって散乱された光Ｌｉｅは、光Ｌｓｅである。粒子１２２によって散乱されなかった光Ｌｉｅは、拡散体１２を透過する。粒子１２２によって散乱されなかった光Ｌｉｅは、領域１４ａから出射される。
【０２１７】
照明器具２３０は、光源１０ｅを追加することによって、散乱光Ｌｓの光量および照明光Ｌｌの光量を増加することができる。
【０２１８】
また、照明器具２３０は、日中に相当する時間だけ、光源１０ｅによって、太陽を模擬することができる。例えば、北半球の場合で、太陽が南中する時刻を昼の１２時とする。この場合に、照明器具２３０は、例えば、１０時から１４時までの間だけ光源１０ｅを点灯する。これによって、照明器具２３０は太陽を模擬することができる。そして、照明器具２３０はサーカディアンリズムを生むことができる。
【０２１９】
＜変形例４＞
以下、変形例４に関して図２１を用いて説明する。図２１は、変形例４に係る照明器具２４０の概略構成を示す構成図である。
【０２２０】
変形例４に示す照明器具２４０において、照明器具２００，２１０，２２０，２３０と共通する構成要素には同じ符号を付し、その説明を省略する。
【０２２１】
図２１に示すように、照明器具２４０は、拡散体１２の背面１５側に光反射体５０を備える。照明器具２４０は、拡散体１２に対して背面１５側に光反射体５０を備える。散乱光Ｌｓｆは、拡散体１２から出射面１４側に出射される光である。散乱光Ｌｓｒは、拡散体１２から背面１５側に出射される光である。
【０２２２】
光反射体５０は、拡散体１２側に反射面５１を備える。反射面５１は、例えば、拡散反射面である。反射面５１は、例えば、光を拡散反射する。反射面５１は、例えば、白色に塗装されている。なお、反射面５１は、例えば、光を鏡面反射してもよい。
【０２２３】
拡散反射は、平坦でない表面またはざらざらした表面からの光の反射のことである。拡散反射では、入射光が様々な角度で反射しているように見える。拡散反射は乱反射ともいう。鏡面反射は、鏡などによる完全な光の反射であり、一方向からの光が別の一方向に反射されて出て行く。鏡面反射は正反射ともいう。
【０２２４】
光反射体５０は、拡散体１２の背面１５から出射された散乱光Ｌｓｒを反射する。散乱光Ｌｓｒは、反射面５１によって拡散体１２の方向（−ｙ軸方向）に反射される。そして、散乱光Ｌｓｒは、拡散体１２を透過して、出射面１４から出射される。散乱光Ｌｓｒは、散乱光Ｌｓｆと重畳されて出射面１４から出射される。
【０２２５】
照明器具２４０は、拡散体１２の背面１５側に出射された散乱光Ｌｓｒを、再度、出射面１４から出射する。そのため、照明器具２４０は光利用効率を向上させる。光反射体５０は光利用効率を向上させる。
【０２２６】
＜変形例５＞
以下、変形例５に関して図２２、図２３および図２４を用いて説明する。変形例５に示す照明器具２５０において、照明器具２００，２１０，２２０，２３０，２４０と共通する構成要素には同じ符号を付し、その説明を省略する。
【０２２７】
≪変形例５−１≫
図２２は、変形例５に係る照明器具２５０の概略構成を示す構成図である。
【０２２８】
図２２に示すように、照明器具２５０は、集光器６０を備えている。集光器６０は、光源１０の発光面１１と拡散体１２の入射面１３との間に配置されている。
【０２２９】
集光器は、光線を必要な場所または方向に集める装置である。集光器は、例えば、集光レンズ、集光鏡または集光コーンなどである。また、集光器は、コリメーターを含む。集光コーンは、例えば、ウィンストンコーンである。ウィンストンコーンは、放物面に入射した光が焦点に集まる性質を利用した代表的な集光ミラーである。
【０２３０】
「集光」とは、光を集めることである。つまり、出射する光の発散角は、入射する光の発散角よりも小さい。
【０２３１】
図２２では、集光コーンを一例として、集光器６０の説明をする。集光器６０は、反射面６１ａおよび反射面６１ｂを備える。図２２では、集光器６０の断面を示している。そのため、反射面６１ａと反射面６１ｂとは、立体的には、筒状につながった面である。
【０２３２】
変形例５では、集光器６０は、例えば、四角錐台の形状をしている。四角錐台は２つの底面が四角形の形状の錐台である。錐台は、錐体から、頂点を共有し相似に縮小した錐体を取り除いた立体図形である。錐台の２つの底面は、上底および下底である。四角錐台の１つの底面が集光器６０の入射面である。そして、四角錐台の他の底面が集光器６０の出射面である。なお、集光器６０が中空の場合には、集光器６０の入射面および出射面は開口である。
【０２３３】
反射面６１ａと反射面６１ｂとの少なくとも一方は、ｚ軸に対して角度を有している。つまり、反射面６１ａと反射面６１ｂとの少なくとも一方は、ｚ軸に対して傾斜している。反射面６１ａ，６１ｂは、集光器６０の入射面の面積よりも集光器６０の出射面の面積が広くなるように傾斜している。ｚ軸は、光を出射する方向に平行な軸である。
【０２３４】
端部６２ａは、反射面６１ａの光源１０側の端部である。端部６２ａは、反射面６１ａの光が集光器６０に入射する側の端部である。端部６２ｂは、反射面６１ｂの光源１０側の端部である。端部６２ｂは、反射面６１ｂの光が集光器６０に入射する側の端部である。端部６３ａは、反射面６１ａの光が集光器６０から出射する側の端部である。端部６３ｂは、反射面６１ｂの光が集光器６０から出射する側の端部である。端部６２ａと端部６２ｂの間の距離は、端部６３ａと端部６３ｂの間の距離よりも小さい。
【０２３５】
照明器具２５０は、集光器６０によって、光源１０から出射した光Ｌｉの指向性を向上させる。集光器６０は、光源１０から出射して拡散体１２に入射する光Ｌｉの光量を増加させる。そのため、照明器具２５０は光利用効率を向上させる。集光器６０は光利用効率を向上させる。
【０２３６】
≪変形例５−２≫
図２３は、変形例５に係る照明器具２５０の別の実施の形態の概略構成を示す構成図である。以下、変形例５に係る照明器具２５０の別の実施の形態に関して図２３を用いて説明する。
【０２３７】
図２３に示すように、照明器具２５０は導光体６４を備えている。導光体６４は、光源１０の発光面１１と拡散体１２の入射面１３との間に配置されている。導光体６４は、集光器６０の一例である。
【０２３８】
導光体６４は、入射面６６と出射面６７とを備えている。例えば、出射面６７の面積は入射面６６の面積と同じである。例えば、出射面６７の面積は入射面６６の面積よりも大きい。なお、導光体６４が中空の場合には、入射面６６と出射面６７とは開口である。
【０２３９】
光源１０から出射された光Ｌｉは、入射面６６から導光体６４に入射する。そして、光Ｌｉは、反射面６５ａおよび反射面６５ｂでの反射によって偏向される。反射面６５ａ，６５ｂでの反射は、例えば、全反射である。そして、光Ｌｉは、出射面６７から出射される。光Ｌｉは、拡散体１２の入射面１３に向けて出射される。
【０２４０】
照明器具２５０は、導光体６４によって、光源１０から出射した光Ｌｉの指向性を向上させる。照明器具２５０は、導光体６４によって、光源１０から出射した光Ｌｉを拡散体１２の入射面１３に導く。導光体６４は、光源１０から出射して拡散体１２に入射する光Ｌｉの光量を増加させる。そのため、照明器具２５０は光利用効率を向上させる。導光体６４は光利用効率を向上させる。
【０２４１】
≪変形例５−３≫
図２４は、変形例５に係る照明器具２５０の別の実施の形態の概略構成を示す構成図である。以下、変形例５に係る照明器具２５０の別の実施の形態に関して図２４を用いて説明する。
【０２４２】
図２４に示すように、照明器具２５０はレンズ７０を備えてもよい。レンズ７０は、集光器６０の一例である。
【０２４３】
レンズ７０は、例えば、シリンドリカルレンズである。図２４では、レンズ７０は、ｙ−ｚ平面において曲率を有している。レンズ７０は、板形状の拡散体１２の厚み方向において曲率を有している。そして、レンズ７０は、ｚ−ｘ平面において曲率を有していない。シリンドリカルレンズは、円筒形の屈折面を待ったレンズである。つまり、シリンドリカルレンズは、一つの方向（第１の方向）に曲率を有し、その方向（第１の方向）に垂直な方向（第２の方向）に曲率を有さない。ここで、第１の方向はｙ軸方向である。また、第２の方向はｘ軸方向である。
【０２４４】
また、レンズ７０は、例えば、トロイダルレンズであってもよい。トロイダルレンズは、シリンドリカルレンズを曲げた形状の屈折面を持ったレンズである。トロイダルレンズは、上述の第１の方向に加えて第２の方向にも曲率を有する。
【０２４５】
レンズ７０は、光源１０の発光面１１と拡散体１２の入射面１３との間に配置されている。レンズ７０は、入射した光Ｌｉを集光する。レンズ７０は、集光レンズである。
【０２４６】
レンズ７０は入射面７１および出射面７２を備えている。入射面７１および出射面７２の少なくとも一方は曲率を有している。図２４では、出射面７２が曲率を有している。入射面７１が曲率を有してもよい。
【０２４７】
レンズ７０は、入射面７１および出射面７２の曲率を制御することによって、光Ｌｉの指向性を向上させる。また、レンズ７０は、光Ｌｉを拡散体１２の入射面１３上に集光させてもよい。
【０２４８】
レンズ７０は、光源１０から出射された光Ｌｉの指向性を向上させる。また、レンズ７０は、光源１０から出射された光Ｌｉを拡散体１２の入射面１３上に集光させる。照明器具２５０は、拡散体１２に入射する光Ｌｉの光量を増加させることができる。そのため、照明器具２５０は光利用効率を向上させる。レンズ７０は光利用効率を向上させる。
【０２４９】
＜変形例６＞
以下、変形例６に係る照明器具２６０に関して図２５を用いて説明する。図２５は、変形例６に係る照明器具２６０の概略構成を示す構成図である。
【０２５０】
変形例６に示す照明器具２６０において、照明器具２００，２１０，２２０，２３０，２４０，２５０と共通する構成要素には同じ符号を付し、その説明を省略する。
【０２５１】
図２５に示すように、照明器具２６０は、光散乱体８０を備える。光散乱体８０は、拡散体１２と別部品である場合には、上述の光散乱体４０，４１の一例である。
【０２５２】
また、光散乱体８０は、拡散体１２に形成されてもよい。光散乱体８０は、拡散体１２の出射領域１４ｂ上に形成されてもよい。この場合には、光散乱体８０は光散乱部である。そして、光散乱体８０は、光散乱体４０，４１と相違する。
【０２５３】
以下においては、光散乱体８０として説明する。光散乱体８０の説明で、拡散体１２の部分としての光散乱部の説明を代用する。
【０２５４】
光散乱体８０は、拡散体１２の領域１４ｂに備えられている。図２５では、光散乱体８０は、領域１４ｂの−ｙ軸側に配置されている。
【０２５５】
光散乱体８０は、領域１４ｂから出射された反射光Ｌｌを拡散させる。光散乱体８０は、反射光Ｌｌを拡散透過する。光散乱体８０は、例えば、ｚ軸方向に光拡散性を有する。光散乱体８０は、例えば、レンチキュラーレンズである。光散乱体８０は、例えば、レンチキュラーレンズを含んでいる。レンチキュラーレンズは、拡散体１２の内部を光Ｌｔａ，Ｌｔｂが導光される方向に曲率を有している。レンチキュラーレンズは、光散乱体８０に対する領域１４ａの方向に曲率を有している。レンチキュラーレンズは、表面にかまぼこ状の微細半円筒型が並んだシートである。
【０２５６】
なお、光散乱体８０は、例えば、凹凸形状の光拡散面を備えることができる。光散乱体８０は、例えば、透過する反射光Ｌｌを散乱させる光拡散粒子を含むことができる。
【０２５７】
また、上述の光散乱体４０，４１も、光散乱体８０と同様に、レンチキュラーレンズを備えることができる。
【０２５８】
光散乱体８０は、別部品として作製されて、拡散体１２に取り付けられてもよい。光散乱体８０は、出射領域１４ｂに接着されてもよい。また、光散乱体８０は、拡散体１２と一体で形成されてもよい。例えば、レンチキュラーレンズが出射領域１４ｂに形成されてもよい。凹凸形状の光拡散面が出射領域１４ｂに形成されてもよい。光拡散粒子が出射領域１４ｂに含まれてもよい。光拡散粒子は、例えば、出射領域１４ｂに層状に含まれている。これらの場合には、光散乱体８０は光散乱部である。
【０２５９】
照明器具２６０は、照明光Ｌｌを拡散透過することによって、照明光Ｌｌの照射範囲を拡大することができる。
【０２６０】
＜変形例７＞
以下、変形例７に係る照明器具２７０に関して図２６を用いて説明する。図２６は、変形例７に係る照明器具２７０の概略構成を示す構成図である。
【０２６１】
変形例７に示す照明器具２７０において、照明器具２００，２１０，２２０，２３０，２４０，２５０，２６０と共通する構成要素には同じ符号を付し、その説明を省略する。なお、変形例７では、一例として、照明ユニット１５０を用いて説明する。
【０２６２】
図２６に示すように、照明器具２７０は、光源１０ｆおよび光源１０ｇを備える。光源１０ｆは、光散乱体４０に対して拡散体１２の領域１４ｂ側に配置されている。光源１０ｆは、光散乱体４０の領域４０ｂの＋ｚ軸側に配置されている。光源１０ｇは、光散乱体４１に対して拡散体１２の領域１４ｃ側に配置されている。光源１０ｇは、光散乱体４１の領域４１ｂの−ｚ軸側に配置されている。
【０２６３】
光源１０ｆは、光散乱体４０に向けて光Ｌｉｆを出射する。光源１０ｆは、例えば、光散乱体４０の領域４０ｂに向けて光Ｌｉｆを出射する。光源１０ｆから出射された光Ｌｉｆは、光散乱体４０を拡散透過する。
【０２６４】
光源１０ｇは、光散乱体４１に向けて光Ｌｉｇを出射する。光源１０ｇは、例えば、光散乱体４１の領域４１ｂに向けて光Ｌｉｇを出射する。光源１０ｇから出射された光Ｌｉｇは、光散乱体４１を拡散透過する。
【０２６５】
図２６では、領域４０ａは、光源１０ｆから出射される光Ｌｉｆのうち発散角の大きな光を散乱させる。領域４０ｂは、光源１０ｆから出射される光Ｌｉｆのうち発散角の小さな光を散乱させる。領域４０ａは、光源１０ｆから出射される光Ｌｉｆのうち領域４０ｂで散乱される光よりも発散角の大きな光を散乱させる。
【０２６６】
同様に、領域４１ａは、光源１０ｇから出射される光Ｌｉｇのうち発散角の大きな光を散乱させる。領域４１ｂは、光源１０ｇから出射される光Ｌｉｇのうち発散角の小さな光を散乱させる。領域４１ａは、光源１０ｇから出射される光Ｌｉｇのうち領域４１ｂで散乱される光よりも発散角の大きな光を散乱させる。
【０２６７】
照明器具２７０は、光源１０ｆおよび光源１０ｇを備えることで、光散乱体４０，４１から出射される光の光量を増加させることができる。
【０２６８】
また、光源１０ｆ，１０ｇは、光散乱体４０,４１と拡散体１２との間に配置されている。そして、光源１０ｆ，１０ｇは、光散乱体４０,４１に光Ｌｉｆ，Ｌｉｇを照射すればよい。そのため、光源１０ｆ，１０ｇは、拡散体１２の近くに配置される。また、光源１０ｆ，１０ｇは、光散乱体４０,４１の近くに配置される。そして、光源１０ｆ，１０ｇは、照明ユニット１５０の厚みの増加を抑えて配置することができる。
【０２６９】
＜変形例８＞
以下、変形例８に関して図２７を用いて説明する。変形例３では、反射面１６ａ，１６ｂは、入射面１３ｂ，１３ａに対して出射面１４側に位置している。変形例８に係る照明器具２８０の照明ユニット１８０では、反射面１６ａ，１６ｂは、入射面１３ｂ，１３ａに対して背面１５側に位置している。つまり、入射面１３ｂ，１３ａは、反射面１６ａ，１６ｂに対して出射面１４側に位置している。その他の説明に関しては、変形例３の説明で変形例８の説明に代える。
【０２７０】
変形例３−２（図１６）のように、導光部３０を備える場合には、導光部３０は、入射面１３の拡散部１２ａ側に配置される。つまり、導光部３０は、入射面１３と拡散部１２ａとの間に配置される。
【０２７１】
変形例３−３（図１７）のように、光源１０ｄを備える場合には、領域１４ｂは、領域１４ａと領域３１ａとの間に位置する。また、領域１４ｃは、領域１４ａと領域３１ｂとの間に位置する。
【０２７２】
変形例３−４（図１９）のように、光源１０ｄと光散乱体４０，４１とを備える場合には、領域１４ｂと領域３１ａとが逆になり、領域１４ｃと領域３１ｂとが逆の位置になる。同様に、反射光Ｌｌａ，Ｌｌｂと光Ｌｉｄとの出射する位置が逆になる。そのため、例えば、反射光Ｌｌａ，Ｌｌｂは、領域４０ｂ，４１ｂに照射される。そして、光Ｌｉｄは、領域４０ａ，４１ａに照射される。
【０２７３】
＜変形例９＞
以下、変形例９に関して図６、図２８および図２９を用いて説明する。変形例９では、照明器具２００の光源１０の発光色を変化させる。図２８および図２９は、１日の時間帯に対する光源１０が発する光Ｌｉの色を示した図である。図２８は、照明器具２００が天井に配置された場合の例である。図２９は、照明器具２００が壁に配置された場合の例である。
【０２７４】
図６に示す照明器具２００の光源１０は、例えば、複数の発光色のＬＥＤ素子２０を備えている。図２８および図２９に示すように、時間帯に応じて点灯するＬＥＤ素子２０を変更する。図２８および図２９において、「○」は点灯を意味し、「△」は低電流での点灯または消灯を意味し、「×」は消灯を意味する。ＬＥＤ素子２０の発光色は、例えば、低色温度の白色、高色温度の白色、緑色および橙色である。
【０２７５】
ここで、高色温度の白色と低色温度の白色との色温度の差は、例えば、８８００Ｋである。高色温度の白色の相関色温度は、例えば、１４４００Ｋである。高色温度の白色の相関色温度は、例えば、１１５００Ｋ以上である。また、高色温度の白色の相関色温度は、例えば、１９０００Ｋ以下である。低色温度の白色の相関色温度は、例えば、５６００Ｋである。低色温度の白色の相関色温度は、例えば、５５００Ｋ以上である。また、低色温度の白色の相関色温度は、例えば、６０５０Ｋ以下である。
【０２７６】
時間帯が早朝および夕方の場合には、光源１０は、高色温度の白色のＬＥＤ素子２０を点灯する。また、光源１０は、低色温度の白色のＬＥＤ素子２０と緑色のＬＥＤ素子２０とを低電流で点灯し、または消灯する。照明器具２００が天井に配置された場合には、光源１０は、橙色のＬＥＤ素子２０を低電流で点灯し、または消灯する。照明器具２００が壁に配置された場合には、光源１０は、橙色のＬＥＤ素子２０を点灯する。これによって、赤味を帯びた空を再現することができる。
【０２７７】
時間帯が昼の場合には、光源１０は、低色温度の白色のＬＥＤ素子２０、高色温度の白色のＬＥＤ素子２０および緑色のＬＥＤ素子２０を点灯する。そして、光源１０は、橙色のＬＥＤ素子２０を消灯する。これによって、青空を再現することができる。
【０２７８】
時間帯が夜の場合には、光源１０は、高色温度の白色のＬＥＤ素子２０を点灯する。また、光源１０は、低色温度の白色のＬＥＤ素子２０と緑色のＬＥＤ素子２０とを低電流で点灯し、または消灯する。そして、光源１０は、橙色のＬＥＤ素子２０を消灯する。これによって、月夜の空を再現することができる。
【０２７９】
照明器具２００は、図２８および図２９に示すように、１日の時間帯に応じてＬＥＤ素子２０の光量を制御することによって、観察者は屋内に居ながら時間の変化を感じることができる。
【０２８０】
＜変形例１０＞
以下、変形例１０に関して図１０（Ａ）、図１０（Ｂ）、図１５、図３０および図３１を用いて説明する。変形例１０では、照明器具２２０，２３０の光源１０ａ，１０ｂの発光色を変化させる。図３０および図３１は、１日の時間帯に対する光源１０ａ，１０ｂが発する光Ｌｉの色を示した図である。図３０は、照明器具２３０が天井に配置された場合の例である。図３１は、照明器具２３０が壁に配置された場合の例である。
【０２８１】
例えば、図１５に示す照明器具２３０を例として説明する。図１５に示す照明器具２３０の光源１０ａ，１０ｂは、複数の発光色のＬＥＤ素子２０を備えている。図３０および図３１に示すように、時間帯に応じて点灯するＬＥＤ素子２０を変更する。図３０および図３１において、「○」は点灯を意味し、「△」は低電流での点灯または消灯を意味し、「×」は消灯を意味する。ＬＥＤ素子２０の発光色は、例えば、低色温度の白色、高色温度の白色、緑色および橙色である。低色温度の白色および高色温度の白色の相関色温度に関しては、変形例９の説明で代用する。
【０２８２】
時間帯が早朝および夕方の場合には、光源１０ａは、高色温度の白色のＬＥＤ素子２０を点灯する。また、光源１０ａは、低色温度の白色のＬＥＤ素子２０を低電流で点灯し、または消灯する。また、光源１０ａは、緑色のＬＥＤ素子２０を消灯する。照明器具２３０が天井に配置された場合には、光源１０ａは、橙色のＬＥＤ素子２０を低電流で点灯し、または消灯する。照明器具２３０が壁に配置された場合には、光源１０ａは、橙色のＬＥＤ素子２０を消灯する。
【０２８３】
時間帯が早朝および夕方の場合には、光源１０ｂは、低色温度の白色のＬＥＤ素子２０を低電流で点灯し、または消灯する。また、光源１０ｂは、緑色のＬＥＤ素子２０を消灯する。照明器具２３０が天井に配置された場合には、光源１０ｂは、高色温度の白色のＬＥＤ素子２０を点灯する。また、光源１０ｂは、橙色のＬＥＤ素子２０を低電流で点灯し、または消灯する。照明器具２３０が壁に配置された場合には、高色温度の白色のＬＥＤ素子２０を低電流で点灯し、または消灯する。また、光源１０ｂは、橙色のＬＥＤ素子２０を点灯する。
【０２８４】
これによって、太陽の高度が低い場合の空を表現することができる。
【０２８５】
時間帯が昼の場合には、光源１０ａは、高色温度の白色のＬＥＤ素子２０、低色温度の白色のＬＥＤ素子２０および緑色のＬＥＤ素子２０を点灯する。また、光源１０ａは、橙色のＬＥＤ素子２０を消灯する。
【０２８６】
時間帯が昼の場合には、光源１０ｂは、高色温度の白色のＬＥＤ素子２０、低色温度の白色のＬＥＤ素子２０および緑色のＬＥＤ素子２０を点灯する。また、光源１０ｂは、橙色のＬＥＤ素子２０を消灯する。
【０２８７】
これによって、青空を再現することができる。
【０２８８】
時間帯が夜の場合には、光源１０ａは、高色温度の白色のＬＥＤ素子２０を点灯する。また、光源１０ａは、低色温度の白色のＬＥＤ素子２０と緑色のＬＥＤ素子２０とを低電流で点灯し、または消灯する。また、光源１０ａは、橙色のＬＥＤ素子２０を消灯する。
【０２８９】
時間帯が夜の場合には、光源１０ｂは、高色温度の白色のＬＥＤ素子２０を点灯する。また、光源１０ｂは、低色温度の白色のＬＥＤ素子２０と緑色のＬＥＤ素子２０とを低電流で点灯し、または消灯する。また、光源１０ｂは、橙色のＬＥＤ素子２０を消灯する。
【０２９０】
これによって、月夜の空を再現することができる。
【０２９１】
照明器具２２０，２３０は、図３０および図３１に示すように、１日の時間帯に応じてＬＥＤ素子２０の光量を制御することによって、観察者は屋内に居ながら時間の変化を感じることができる。
【０２９２】
また、光源１０ｃ、光源１０ｄ、光源１０ｆまたは光源１０ｇは、各々光源１０ａおよび１０ｂの発光色の変化と連動して発光色を変化させてもよい。例えば、光源１０ｃの光Ｌｉｃを橙色とする。その場合には、光散乱体４０，４１を透過する光の色は橙色となる。そして、観察者は、朝焼けまたは夕焼けの光が窓枠で反射しているように感じる。また、点灯される光源１０ｃを選択することで、観察者は太陽の位置を感じることができる。
【０２９３】
また、光源１０ｃ、光源１０ｄ、光源１０ｆまたは光源１０ｇは、各々のＬＥＤ素子２０の光量を変化させてもよい。その場合には、光散乱体４０，４１の位置によって、透過する光の光量が変化する。そして、観察者は、木々の間から漏れて木の葉の間に輝く日の光によって窓枠で反射された光が変化しているように感じる。
【０２９４】
光源１０ｃは、図１１（変形例２−２）および図１３（変形例２−３）に示す光源である。光源１０ｄは、図１７（変形例３−３）および図１９（変形例３−４）に示す光源である。光源１０ｆおよび光源１０ｇは、図２６（変形例７）に示す光源である。
【０２９５】
＜変形例１１＞
以下、変形例１１に係る照明器具２９０に関して図３２を用いて説明する。図３２は、変形例１１に係る照明器具２９０の概略構成を示す構成図である。
【０２９６】
変形例１１に示す照明器具２９０において、照明器具２００，２１０，２２０，２３０，２４０，２５０，２６０，２７０，２８０と共通する構成要素には同じ符号を付し、その説明を省略する。
【０２９７】
上述のように、レイリー散乱は光の散乱現象の１つである。式（１）および式（２）を用いて説明したように、レイリー散乱は粒径ｄが光の波長よりも小さい時に生じる。このため、レイリー散乱においては、相関色温度の高い光ほど散乱される確率が高い。相関色温度の高い光は、例えば、青色の光である。
【０２９８】
青空を模擬する照明器具を薄型で実現しようとする場合には、レイリー散乱を生じさせる拡散体の端部から光を入射させることが有効である。拡散体は、ナノ粒子を含んでいる。拡散体の端部から入射した光は、拡散体の内部を導光される。そして、拡散体は、レイリー散乱によって相関色温度の高い光を拡散光として取り出すことができる。
【０２９９】
しかしながら、そのような構成においては、光が導光される間に相関色温度の高い光が優先的に散乱されていく。このため、導光距離が延びるにつれて、散乱光の相関色温度が低くなっていく。導光距離が延びると、ナノ粒子による光の散乱回数が増えるからである。つまり、光が導光されるにつれて、散乱光の色は青色から赤色に変化する。これによって、拡散体の出射面で色ムラが生じる。
【０３００】
変形例１１では、導光距離を長くする条件として拡散体１２のヘイズ値に着目する。拡散体１２のヘイズ値の設定によって、拡散体の出射面での色ムラを低減する。ヘイズ値は、透明性に関する指標である。ヘイズ値は、拡散透過光の全光線透過光に対する割合から求められる。
【０３０１】
図３２に示すように、照明器具２９０は、拡散体１２に反射面１６を備えていない。照明器具２９０は、照明器具２００の反射面１６の位置に入射面１３ｂを備えている。つまり、照明器具２９０の拡散体１２は、入射面１３ａと対向する面に入射面１３ｂを備えている。照明器具２９０の拡散体１２は、端部２３ａに入射面１３ａを備え、端部２３ｂに入射面１３ｂを備えている。
【０３０２】
ここで、端部２３ｂは、端部２３ａの入射面１３ａから入射した光Ｌｉａが導光されて到達する端部である。また、端部２３ａは、端部２３ｂの入射面１３ｂから入射した光Ｌｉｂが導光されて到達する端部である。入射面１３ａ，１３ｂは、例えば、板形状の側面に形成されている。
【０３０３】
なお、光源１０は、拡散体１２の端部２３ａまたは端部２３ｂの一方に配置されてもよい。つまり、光源１０は、拡散体１２の端部２３ａおよび端部２３ｂの少なくとも一方に配置される。
【０３０４】
拡散体１２のヘイズ値Ｈ［％］は、以下の式（３）の範囲に含まれる。ただし、ヘイズ値Ｈ［％］は、以下の式（４）によって定義される。散乱光のパワー［Ｗ］は、拡散体１２の背面１５から平行光を入射させた際に、拡散体１２によって散乱されて出射面１４から出射される光のパワー［Ｗ］を意味する。これに対して、全光線の透過光のパワー［Ｗ］は、拡散体１２の背面１５から平行光を入射させた際に、拡散体１２の出射面１４から出射される全ての光のパワー［Ｗ］を意味する。
０．００５［％］≦Ｈ≦３０［％］・・・（３）
Ｈ［％］＝１００×散乱光のパワー［Ｗ］/全光線の透過光のパワー［Ｗ］・・・（４）
【０３０５】
拡散体１２のヘイズ値Ｈ［％］が式（３）の範囲に含まれることで、出射面１４における色のムラは低減される。
【０３０６】
変形例１１に係る照明器具２９０は、照明器具２００の備える光吸収体１７を備えることができる。光吸収体１７は、光を吸収する。光吸収体１７は、拡散体１２に対して領域１４ａと反対側に配置されている。光吸収体１７は、拡散体１２に対して出射面１４と反対側に配置されている。光吸収体１７は、拡散体１２に対して背面１５側に配置されている。
【０３０７】
変形例１１に係る照明器具２９０は、変形例１に係る照明器具２１０と同様に、照明ユニット１９０を重ねて配置することができる。複数の照明ユニット１９０は、出射領域１４ａを同じ方向として、拡散体１２を重ねて配置される。照明器具２９０は、複数の照明ユニット１９０から出射される散乱光Ｌｓａ，Ｌｓｂを重ね合わせて出射する。重ねて配置される一組の照明ユニット１９０の各々の光Ｌｔａ，Ｌｔｂは、異なる方向に導光される。
【０３０８】
変形例１１に係る照明ユニット１９０は、変形例２−２（図１１）に係る光源１０ｃを備えることができる。
【０３０９】
照明ユニット１９０は、反射面１６を備えていない。そのため、照明ユニット１９０は、照明光Ｌｌを照射することができない。そこで、照明ユニット１９０は、光源１０ｃを備えることができる。光源１０ｃは、端部２３ａ，２３ｂに光Ｌｉｃを照射すればよい。そのため、光源１０ｃは、拡散体１２の近くに配置される。そして、光源１０ｃは、照明ユニット１９０の厚みの増加を抑えて配置することができる。
【０３１０】
拡散体１２は、領域１４ａと同じ面の側に領域１４ｂおよび領域１４ｃを含んでいる。拡散体１２の出射面１４は、領域１４ｂおよび領域１４ｃを含んでいる。領域１４ｂは、拡散部１２ａを導光された光Ｌｔａが到達する端部２３ｂに形成されている。領域１４ｂは、入射面１３ｂを含む端部２３ｂに形成されている。領域１４ｃは、拡散部１２ａを導光された光Ｌｔｂが到達する端部２３ａに形成されている。領域１４ｃは、入射面１３ａを含む端部２３ａに形成されている。
【０３１１】
光源１０ｃは、光Ｌｉｃを出射する。光源１０ｃは、領域１４ｂと対向する背面１５の側の領域から光Ｌｉｃを入射させる。光源１０ｃは、領域１４ｃと対向する背面１５の側の領域から光Ｌｉｃを入射させる。光Ｌｉｃは、光源１０ｃが光Ｌｉｃを入射させた端部２３ａを透過して出射される。光Ｌｉｃは、光源１０ｃが光Ｌｉｃを入射させた端部２３ｂを透過して出射される。光Ｌｉｃは、光源１０ｃが光Ｌｉｃを入射させた端部２３ａの領域１４ｃから出射される。光Ｌｉｃは、光源１０ｃが光Ｌｉｃを入射させた端部２３ｂの領域１４ｂから出射される。
【０３１２】
変形例１１に係る照明器具２９０は、変形例２−３（図１２）に係る光散乱体４０，４１を備えることができる。光散乱体４０，４１は、光Ｌｉｃを透過して散乱させる。光散乱体４０は、領域１４ｂを覆うように配置される。光散乱体４１は、領域１４ｃを覆うように配置される。光散乱体４０，４１は、レンチキュラーレンズを含んでいる。レンチキュラーレンズは、拡散体１２の内部を光Ｌｔａ，Ｌｔｂが導光される方向に曲率を有している。レンチキュラーレンズは、光散乱体４０，４１に対する領域１４ａの方向に曲率を有している。
【０３１３】
変形例１１に係る照明器具２９０は、変形例２−４（図１４）に係る光源１０ｅを備えることができる。光源１０ｅは、拡散体１２と光吸収体１７との間に備えられている。光源１０ｅは、拡散体１２に向けて光Ｌｉｅを出射する。
【０３１４】
変形例１１に係る照明器具２９０は、変形例４（図２１）に係る光反射体５０を備えることができる。光反射体５０は光を反射する。光反射体５０は、拡散体１２に対して領域１４ａと反対側に配置されている。光反射体５０は、拡散体１２に対して出射面１４と反対側に配置されている。光反射体５０は、拡散体１２に対して背面１５側に配置されている。光反射体５０は、例えば、光を拡散反射する。
【０３１５】
変形例１１に係る照明ユニット１９０は、変形例５（図２２、図２３および図２４）に係る集光器６０を備えることができる。集光器６０は、導光体６４およびレンズ７０を含んでいる。照明ユニット１９０は、光源１０ａの発光面１１と入射面１３ａとの間に集光器６０を備える。集光器６０は、光Ｌｉａを入射面１３ａに向けて集める。照明ユニット１９０は、光源１０ｂの発光面１１と入射面１３ｂとの間に集光器６０を備える。集光器６０は、光Ｌｉｂを入射面１３ｂに向けて集める。集光器６０は、光Ｌｉａ,Ｌｉｂを導光する導光体６４である。集光器６０は、レンズ７０である。拡散体１２は、側面でつながれた対向する２つの面を含む板形状である。入射面１３ａ,１３ｂは、板形状の側面に形成されている。レンズ７０は、板形状の厚み方向に曲率を有するシリンドリカルレンズである。
【０３１６】
変形例１１に係る照明ユニット１９０は、変形例６（図２５）に係る光散乱体８０を備えることができる。照明ユニット１９０は、領域１４ｂおよび領域１４ｃの少なくともいずれかの上に、光Ｌｉｃを透過して散乱させる光散乱体８０を備える。光散乱体８０は、拡散体１２の内部を光Ｌｔａ，Ｌｔｂが導光される方向に曲率を有するレンチキュラーレンズを含む。レンチキュラーレンズは、光散乱体８０に対する領域１４ａの方向に曲率を有している。また、変形例１１に係る照明器具２９０は、変形例６に係る光散乱体８０を備えることができる。照明器具２９０は、拡散体１２に対して出射領域１４ｂおよび出射領域１４ｃの少なくともいずれかの側に、光Ｌｉｃを透過して散乱させる光散乱体８０を備える。光散乱体８０は、光散乱体４０，４１の一例である。
【０３１７】
変形例１１に係る照明ユニット１９０は、変形例７（図２６）に係る光源１０ｆおよび光源１０ｇの少なくともいずれかを備えることができる。光源１０ｆは、拡散体１２に対して光散乱体４０が配置された側であって、拡散体１２に対して端部２３ｂの側に配置されている。光源１０ｇは、拡散体１２に対して光散乱体４１が配置された側であって、拡散体１２に対して端部２３ａの側に配置されている。照明ユニット１９０は、光Ｌｉｆを出射する光源１０ｆを備える。照明ユニット１９０は、光Ｌｉｇを出射する光源１０ｇを備える。光源１０ｆは、光Ｌｉｆを光散乱体４０に向けて出射する。光源１０ｆは、光Ｌｉｆを領域４０ｂに向けて出射する。光源１０ｇは、光Ｌｉｇを光散乱体４１に向けて出射する。光源１０ｇは、光Ｌｉｇを領域４１ｂに向けて出射する。光Ｌｉｆは、光散乱体４０を透過する。光Ｌｉｆは、領域４０ｂを透過する。光Ｌｉｇは、光散乱体４１を透過する。光Ｌｉｇは、領域４１ｂを透過する。
【０３１８】
照明ユニット１９０は、反射面１６を備えていない。そのため、照明ユニット１９０は、照明光Ｌｌを照射することができない。そこで、照明ユニット１９０は、光源１０ｆ，１０ｇを備えることができる。光源１０ｆ，１０ｇは、光散乱体４０,４１と拡散体１２との間に配置されている。そして、光源１０ｆ，１０ｇは、光散乱体４０,４１に光Ｌｉｆ，Ｌｉｇを照射すればよい。そのため、光源１０ｆ，１０ｇは、拡散体１２の近くに配置される。また、光源１０ｆ，１０ｇは、光散乱体４０,４１の近くに配置される。そして、光源１０ｆ，１０ｇは、照明ユニット１９０の厚みの増加を抑えて配置することができる。
【０３１９】
変形例１１に係る照明ユニット１９０は、変形例９および変形例１０と同様に、光源１０ａ，１０ｂ，１０ｃ，１０ｆ，１０ｇの発光色を変化させることができる。光源１０ａ，１０ｂ，１０ｃ，１０ｆ，１０ｇは、複数の異なる色の光Ｌｉａ，Ｌｉｂ，Ｌｉｃ，Ｌｉｆ，Ｌｉｇを発し、時刻によって、異なる色の光Ｌｉａ，Ｌｉｂ，Ｌｉｃ，Ｌｉｆ，Ｌｉｇの光量の比率を変化させる。異なる色の光Ｌｉａ，Ｌｉｂ，Ｌｉｃ，Ｌｉｆ，Ｌｉｇは、白色の光Ｌｉｗｈ、緑色Ｌｉｇｒの光および橙色Ｌｉｏｒの光を含む。白色の光Ｌｉｗｈは、白色の光Ｌｉｗｈ１と白色の光Ｌｉｗｈ２とを含む。白色の光Ｌｉｗｈ１の相関色温度は、白色の光Ｌｉｗｈ２の相関色温度よりも高い。
【０３２０】
照明器具２９０は、１日の時間帯に応じてＬＥＤ素子２０の光量を制御することによって、観察者は屋内に居ながら時間の変化を感じることができる。
【０３２１】
なお、上述の各実施の形態においては、「平行」または「垂直」などの部品間の位置関係もしくは部品の形状を示す用語を用いている場合がある。これらは、製造上の公差や組立て上のばらつきなどを考慮した範囲を含むことを表している。このため、請求の範囲に部品間の位置関係もしくは部品の形状を示す記載をした場合には、製造上の公差又は組立て上のばらつき等を考慮した範囲を含むことを示している。
【０３２２】
また、以上のように本発明の実施の形態について説明したが、本発明はこれらの実施の形態に限るものではない。
【０３２３】
以上の各実施の形態を基にして、以下に発明の内容を付記（１）、付記（２）、付記（３）及び付記（４）として記載する。付記（１）と付記（２）と付記（３）と付記（４）は、各々独立して符号を付している。そのため、例えば、付記（１）と付記（２）との両方に、「付記１」が存在する。
【０３２４】
また、付記（１）の特徴と付記（２）の特徴と付記（３）の特徴と付記（４）の特徴とを組み合わせることができる。
【０３２５】
＜付記（１）＞
＜付記１＞
第１の光を発する光源と、
ナノ粒子を含み、入射面から前記第１の光を入射して、入射した前記第１の光を全反射によって導光し、導光された前記第１の光を前記ナノ粒子で散乱させることで前記第１の光の相関色温度よりも高い相関色温度の第２の光を第１の出射領域から出射する拡散体と、
を備え、
前記拡散体は、前記ナノ粒子で散乱されずに導光された第３の光を前記第２の光が出射される方向に向けて反射する反射面を含む照明ユニット。
【０３２６】
＜付記２＞
前記第３の光は前記第１の出射領域と異なる第２の出射領域から出射される付記１に記載の照明ユニット。
【０３２７】
＜付記３＞
前記拡散体は、側面でつながれた対向する２つの面を含む板形状である付記１に記載の照明ユニット。
【０３２８】
＜付記４＞
前記第１の出射領域は、１つの面上に形成される付記１に記載の照明ユニット。
【０３２９】
＜付記５＞
前記第２の出射領域は、１つの面上に形成される付記２に記載の照明ユニット。
【０３３０】
＜付記６＞
前記第２の出射領域は、前記第１の出射領域と異なる領域である付記５に記載の照明ユニット。
【０３３１】
＜付記７＞
前記拡散体に対して前記第１の出射領域と反対側に配置され、前記第２の光を吸収する光吸収体を備える付記１から６のいずれか１つに記載の照明ユニット。
【０３３２】
＜付記８＞
付記１から６のいずれか１つに記載の照明ユニットを複数備え、
複数の前記照明ユニットは、前記第２の光が出射される方向を同じ方向として前記拡散体が重ねて配置され、
前記複数の照明ユニットから出射される前記第２の光を重ね合わせて出射する照明器具。
【０３３３】
＜付記９＞
前記複数の照明ユニットのうち、最も前記第２の光が出射される方向と反対側に配置された拡散体を裏面側の拡散体とすると、
前記裏面側の拡散体に対して、前記裏面側の拡散体の前記第１の出射領域と反対側に配置され、前記第２の光を吸収する光吸収体を備える付記８に記載の照明器具。
【０３３４】
＜付記（２）＞
＜付記１＞
第１の光を発する第１の光源と、
前記第１の光を入射する第１の入射面、ナノ粒子を含み入射された前記第１の光を導光して前記ナノ粒子で散乱させて第１の散乱光とする拡散部および前記ナノ粒子で散乱されずに導光された前記第１の光を第１の反射光として反射する第１の反射面を含む拡散体と
を備え、
前記第１の入射面は、前記拡散部の第１の端部に形成され、
前記第１の反射面は、前記拡散部を導光された前記第１の光が到達する第２の端部に形成され、
前記第１の散乱光は、第１の出射領域から出射され、
前記第１の反射光は、前記第１の出射領域とは異なる第２の出射領域から出射され、
前記第１の散乱光の相関色温度は、前記第１の光の相関色温度よりも高い照明ユニット。
【０３３５】
＜付記２＞
前記第１の出射領域は、前記拡散部に形成される付記１に記載の照明ユニット。
【０３３６】
＜付記３＞
前記第２の出射領域は、前記第２の端部に形成される付記１または２に記載の照明ユニット。
【０３３７】
＜付記４＞
前記第１の光は全反射によって導光される付記１から３のいずれか１つに記載の照明ユニット。
【０３３８】
＜付記５＞
前記拡散体は、側面でつながれた対向する２つの面を含む板形状である付記１から４のいずれか１つに記載の照明ユニット。
【０３３９】
＜付記６＞
前記第１の端部および前記第２の端部は、前記側面を含む付記５に記載の照明ユニット。
【０３４０】
＜付記７＞
前記第１の出射領域は、１つの前記面の上に形成される付記５または６に記載の照明ユニット。
【０３４１】
＜付記８＞
前記第２の出射領域は、前記１つの面の上に形成される付記７に記載の照明ユニット。
【０３４２】
＜付記９＞
第２の光を発する第２の光源を備え、
前記拡散体は、前記第２の端部に形成されて前記第２の光を入射する第２の入射面、前記第１の端部に形成されて前記ナノ粒子で散乱されずに前記拡散部の内部を導光された前記第２の光を第２の反射光として反射する第２の反射面を含み、
前記第２の反射光は、前記第１の出射領域および前記第２の出射領域とは異なる第３の出射領域から出射され、
前記拡散部は、入射された前記第２の光を導光して前記ナノ粒子で散乱させて第２の散乱光とし、
前記第２の散乱光は、第１の出射領域から出射され、
前記第２の散乱光の相関色温度は、前記第２の光の相関色温度よりも高い付記１から４のいずれか１つに記載の照明ユニット。
【０３４３】
＜付記１０＞
前記第３の出射領域は、前記第１の端部に形成される付記９に記載の照明ユニット。
【０３４４】
＜付記１１＞
前記第２の光は全反射によって導光される付記９または１０に記載の照明ユニット。
【０３４５】
＜付記１２＞
前記拡散体は、側面でつながれた対向する２つの面を含む板形状であり、
１つの前記面は前記第１の出射領域が形成される出射面であり、
他の前記面は背面である付記９から１１のいずれか１つに記載の照明ユニット。
【０３４６】
＜付記１３＞
前記第１の端部および前記第２の端部は、前記側面を含む付記１２に記載の照明ユニット。
【０３４７】
＜付記１４＞
前記第２の出射領域は、前記出射面の上に形成される付記１２または１３に記載の照明ユニット。
【０３４８】
＜付記１５＞
前記第３の出射領域は、前記出射面の上に形成される付記１２から１４のいずれか１つに記載の照明ユニット。
【０３４９】
＜付記１６＞
前記第１の入射面と前記第２の反射面とは、前記第１の端部において前記板形状の厚みに垂直な方向の異なる位置に配置され、
前記第２の入射面と前記第１の反射面とは、前記第２の端部において前記板形状の厚みに垂直な方向の異なる位置に配置される付記１２から１５のいずれか１つに記載の照明ユニット。
【０３５０】
＜付記１７＞
前記第１の入射面と前記第２の反射面とは、互いに隣り合って配置され、
前記第２の入射面と前記第１の反射面とは、互いに隣り合って配置される付記１６に記載の照明ユニット。
【０３５１】
＜付記１８＞
前記第１の反射面は前記第１の入射面と対向して配置され、
前記第２の反射面は前記第２の入射面と対向して配置される付記１６または１７に記載の照明ユニット。
【０３５２】
＜付記１９＞
第３の光を出射する第３の光源を備え、
前記第３の光源は、前記第１の端部に形成される前記第２の出射領域と対向する前記背面上の領域および前記第２の端部に形成される前記第３の出射領域と対向する前記背面上の領域の少なくともいずれかから前記第３の光を入射させる付記１６から１８のいずれか１つに記載の照明ユニット。
【０３５３】
＜付記２０＞
前記第３の光は、前記第３の光源が前記第３の光を入射させた前記第１の端部または前記第２の端部を透過して出射される付記１９に記載の照明ユニット。
【０３５４】
＜付記２１＞
前記第３の光は、前記第３の光源が前記第３の光を入射させた前記第１の端部の前記第３の出射領域または前記第３の光源が前記第３の光を入射させた前記第２の端部の前記第２の出射領域から出射される付記１９または２０に記載の照明ユニット。
【０３５５】
＜付記２２＞
前記第１の反射面は、前記第２の端部において、前記第２の入射面よりも前記第２の端部に形成された第２の出射領域の側に位置し、
前記第２の反射面は、前記第１の端部において、前記第１の入射面よりも前記第１の端部に形成された第３の出射領域の側に位置する付記９から１５のいずれか１つに記載の照明ユニット。
【０３５６】
＜付記２３＞
前記第１の反射面と前記拡散部との間に位置し前記ナノ粒子で散乱されずに前記拡散部の内部を導光された前記第１の光を前記第１の反射面に導く第１の導光部および前記第２の反射面と前記拡散部との間に位置し前記ナノ粒子で散乱されずに前記拡散部の内部を導光された前記第２の光を前記第２の反射面に導く第２の導光部の少なくともいずれかを備える付記２２に記載の照明ユニット。
【０３５７】
＜付記２４＞
前記第１の導光部は、前記第２の端部に含まれ、
前記第２の導光部は、前記第１の端部に含まれる付記２３に記載の照明ユニット。
【０３５８】
＜付記２５＞
第４の光を出射する第４の光源を備え、
前記第４の光源は、前記第１の導光部に対する前記第２の光源の側および前記第２の導光部に対する前記第１の光源の側の少なくともいずれかに配置される付記２３または２４に記載の照明ユニット。
【０３５９】
＜付記２６＞
前記第１の導光部は、前記第２の端部において、前記第１の反射面に対して前記第２の出射領域が形成された側と同じ側に第４の出射領域を備え、
前記第２の導光部は、前記第１の端部において、前記第２の反射面に対して前記第３の出射領域が形成された側と同じ側に第５の出射領域を備え、
前記第４の光は、前記第４の光源が備えられた前記第１の導光部を透過して前記第４の出射領域から出射され、または、前記第４の光源が備えられた前記第２の導光部を透過して前記第５の出射領域から出射される付記２５に記載の照明ユニット。
【０３６０】
＜付記２７＞
付記１から２６のいずれか１つに記載の照明ユニットと、
光を吸収する光吸収体と
を備え、
前記光吸収体は、前記拡散体に対して前記第１の出射領域と反対側に配置される照明器具。
【０３６１】
＜付記２８＞
前記拡散体と前記光吸収体との間に第５の光源を備え、
前記第５の光源は、前記拡散体に向けて第５の光を出射する付記２７に記載の照明器具。
【０３６２】
＜付記２９＞
付記１から８のいずれか１つに記載の照明ユニットと、
前記第１の反射光を透過して散乱させる第１の光散乱体と
を備える照明器具。
【０３６３】
＜付記３０＞
前記第１の光散乱体は、前記第２の出射領域を覆うように配置される付記２９に記載の照明器具。
【０３６４】
＜付記３１＞
付記９から２６のいずれか１つに記載の照明ユニットと、
前記第２の反射光を透過して散乱させる第２の光散乱体と
を備える照明器具。
【０３６５】
＜付記３２＞
前記第２の光散乱体は、前記第３の出射領域を覆うように配置される付記３１に記載の照明器具。
【０３６６】
＜付記３３＞
付記１９から２１のいずれか１つに記載の照明ユニットと、
前記第３の光を透過して散乱させる第３の光散乱体と
を備える照明器具。
【０３６７】
＜付記３４＞
付記２５または２６に記載の照明ユニットと、
前記第４の光を透過して散乱させる第４の光散乱体と
を備える照明器具。
【０３６８】
＜付記３５＞
付記１から８のいずれか１つに記載の照明ユニットを複数備え、
複数の前記照明ユニットは、前記第１の出射領域を同じ方向として、前記拡散体を重ねて配置され、
前記複数の照明ユニットから出射される前記第１の散乱光を重ね合わせて出射する照明器具。
【０３６９】
＜付記３６＞
付記９から２６のいずれか１つに記載の照明ユニットを複数備え、
複数の前記照明ユニットは、前記第１の出射領域を同じ方向として、前記拡散体を重ねて配置され、
前記複数の照明ユニットから出射される前記第１の散乱光および前記第２の散乱光を重ね合わせて出射する照明器具。
【０３７０】
＜付記（３）＞
＜付記１＞
第１の発光面から第１の光を発する第１の光源と、
前記第１の光を入射する第１の入射面、ナノ粒子を含み入射された前記第１の光を導光して前記ナノ粒子で散乱させて第１の散乱光とする拡散部および前記ナノ粒子で散乱されずに導光された前記第１の光を第１の反射光として反射する第１の反射面を含む拡散体と
を備え、
前記第１の入射面は、前記拡散体の第１の端部に形成され、
前記第１の反射面は、前記拡散部を導光された前記第１の光が到達する第２の端部に形成され、
前記第１の散乱光は、第１の出射領域から出射され、
前記第１の反射光は、前記第１の出射領域とは異なる第２の出射領域から出射され、
前記第１の散乱光の相関色温度は、前記第１の光の相関色温度よりも高い照明ユニット。
【０３７１】
＜付記２＞
前記第１の出射領域は、前記拡散部に形成される付記１に記載の照明ユニット。
【０３７２】
＜付記３＞
前記第２の出射領域は、前記第２の端部に形成される付記１または２に記載の照明ユニット。
【０３７３】
＜付記４＞
前記第１の光は全反射によって導光される付記１から３のいずれか１つに記載の照明ユニット。
【０３７４】
＜付記５＞
前記第１の光源は、複数の異なる色の前記第１の光を発し、時刻によって、前記異なる色の第１の光の光量の比率を変化させる付記１から４のいずれか１つに記載の照明ユニット。
【０３７５】
＜付記６＞
前記異なる色の第１の光は、白色の光、緑色の光および橙色の光を含む付記５に記載の照明ユニット。
【０３７６】
＜付記７＞
前記白色の光は、第１の白色の光と前記第１の白色の光よりも相関色温度の低い第２の白色の光とを含む付記６に記載の照明ユニット。
【０３７７】
＜付記８＞
前記第２の出射領域の上に、前記第１の反射光を透過して散乱させる第１の光散乱部を備える付記１から７のいずれか１つに記載の照明ユニット。
【０３７８】
＜付記９＞
前記第１の光散乱部は、前記拡散体の内部を前記第１の光が導光される方向に曲率を有するレンチキュラーレンズを含む付記８に記載の照明ユニット。
【０３７９】
＜付記１０＞
前記第１の発光面と前記第１の入射面との間に、前記第１の光を前記第１の入射面に向けて集める集光器を備える付記１から９のいずれか１つに記載の照明ユニット。
【０３８０】
＜付記１１＞
前記集光器は、前記第１の光を導光する導光体である付記１０に記載の照明ユニット。
【０３８１】
＜付記１２＞
前記集光器は、レンズである付記１０に記載の照明ユニット。
【０３８２】
＜付記１３＞
前記拡散体は、側面でつながれた対向する２つの面を含む板形状であり、
前記第１の入射面は、前記側面に形成され、
前記レンズは、前記板形状の厚み方向に曲率を有するシリンドリカルレンズである付記１２に記載の照明ユニット。
【０３８３】
＜付記１４＞
前記拡散体は、側面でつながれた対向する２つの面を含む板形状である付記１から１３のいずれか１つに記載の照明ユニット。
【０３８４】
＜付記１５＞
前記第１の端部および前記第２の端部は、前記側面を含む付記１４に記載の照明ユニット。
【０３８５】
＜付記１６＞
前記第１の入射面は、前記側面に形成されている付記１４または１５に記載の照明ユニット。
【０３８６】
＜付記１７＞
前記第１の出射領域は、１つの前記面の上に形成される付記１４から１６のいずれか１つに記載の照明ユニット。
【０３８７】
＜付記１８＞
前記第２の出射領域は、前記１つの面の側に形成される付記１７に記載の照明ユニット。
【０３８８】
＜付記１９＞
他の前記面は背面である付記１７または１８に記載の照明ユニット。
【０３８９】
＜付記２０＞
散乱光のパワーに１００を掛けた値を全透過光のパワーで割った値をヘイズ値とすると、
前記板形状の厚み方向のヘイズ値は、０．００５以上で３０以下である付記１３から１９のいずれか１つに記載の照明ユニット。
【０３９０】
＜付記２１＞
第２の発光面から第２の光を発する第２の光源を備え、
前記拡散体は、前記第２の端部に形成されて前記第２の光を入射する第２の入射面、前記第１の端部に形成されて前記ナノ粒子で散乱されずに前記拡散部の内部を導光された前記第２の光を第２の反射光として反射する第２の反射面を含み、
前記第２の反射光は、前記第１の出射領域および前記第２の出射領域とは異なる第３の出射領域から出射され、
前記拡散部は、入射された前記第２の光を導光して前記ナノ粒子で散乱させて第２の散乱光とし、
前記第２の散乱光は、第１の出射領域から出射され、
前記第２の散乱光の相関色温度は、前記第２の光の相関色温度よりも高い付記１から２０のいずれか１つに記載の照明ユニット。
【０３９１】
＜付記２２＞
前記第３の出射領域は、前記第１の端部に形成される付記２１に記載の照明ユニット。
【０３９２】
＜付記２３＞
前記第２の光は全反射によって導光される付記２１または２２に記載の照明ユニット。
【０３９３】
＜付記２４＞
前記第２の光源は、複数の異なる色の前記第２の光を発し、時刻によって、前記異なる色の第２の光の光量の比率を変化させる付記２１から２３のいずれか１つに記載の照明ユニット。
【０３９４】
＜付記２５＞
前記異なる色の第２の光は、白色の光、緑色の光および橙色の光を含む付記２４に記載の照明ユニット。
【０３９５】
＜付記２６＞
前記白色の光は、第３の白色の光と前記第３の白色の光よりも相関色温度の低い第４の白色の光とを含む付記２５に記載の照明ユニット。
【０３９６】
＜付記２７＞
前記第３の出射領域の上に、前記第２の反射光を透過して散乱させる第２の光散乱部を備える付記２１から２６のいずれか１つに記載の照明ユニット。
【０３９７】
＜付記２８＞
前記第２の光散乱部は、前記拡散体の内部を前記第２の光が導光される方向に曲率を有するレンチキュラーレンズを含む付記２７に記載の照明ユニット。
【０３９８】
＜付記２９＞
前記第２の発光面と前記第２の入射面との間に、前記第２の光を前記第２の入射面に向けて集める集光器を備える付記２１から２８のいずれか１つに記載の照明ユニット。
【０３９９】
＜付記３０＞
前記集光器は、前記第２の光を導光する導光体である付記２９に記載の照明ユニット。
【０４００】
＜付記３１＞
前記集光器は、レンズである付記２９に記載の照明ユニット。
【０４０１】
＜付記３２＞
前記拡散体は、側面でつながれた対向する２つの面を含む板形状であり、
前記第２の入射面は、前記側面に形成され、
前記レンズは、前記板形状の厚み方向に曲率を有するシリンドリカルレンズである付記３１に記載の照明ユニット。
【０４０２】
＜付記３３＞
前記拡散体は、側面でつながれた対向する２つの面を含む板形状であり、
前記第１の入射面は、前記側面に形成され、
前記第２の入射面は、前記第１の入射面とは異なる前記側面に形成されている付記２１から３２のいずれか１つに記載の照明ユニット。
【０４０３】
＜付記３４＞
前記拡散体は、側面でつながれた対向する２つの面を含む板形状であり、
前記第３の出射領域は、前記第１の出射領域と同じ前記面の側に形成される付記３２または３３に記載の照明ユニット。
【０４０４】
＜付記３５＞
前記第１の入射面と前記第２の反射面とは、前記第１の端部において前記板形状の厚みに垂直な方向の異なる位置に配置され、
前記第２の入射面と前記第１の反射面とは、前記第２の端部において前記板形状の厚みに垂直な方向の異なる位置に配置される付記３２から３４のいずれか１つに記載の照明ユニット。
【０４０５】
＜付記３６＞
前記第１の入射面と前記第２の反射面とは、互いに隣り合って配置され、
前記第２の入射面と前記第１の反射面とは、互いに隣り合って配置される付記３５に記載の照明ユニット。
【０４０６】
＜付記３７＞
前記第１の反射面は前記第１の入射面と対向して配置され、
前記第２の反射面は前記第２の入射面と対向して配置される付記３５または３６に記載の照明ユニット。
【０４０７】
＜付記３８＞
第３の光を出射する第３の光源を備え、
前記第３の光源は、
前記第１の端部に形成される前記第３の出射領域と対向する背面の側の領域および
前記第２の端部に形成される前記第２の出射領域と対向する背面の側の領域の少なくともいずれかから前記第３の光を入射させる付記３５から３７のいずれか１つに記載の照明ユニット。
【０４０８】
＜付記３９＞
前記第３の光は、前記第３の光源が前記第３の光を入射させた前記第１の端部または前記第２の端部を透過して出射される付記３８に記載の照明ユニット。
【０４０９】
＜付記４０＞
前記第３の光は、前記第３の光源が前記第３の光を入射させた前記第１の端部の前記第３の出射領域または前記第３の光源が前記第３の光を入射させた前記第２の端部の前記第２の出射領域から出射される付記３８または３９に記載の照明ユニット。
【０４１０】
＜付記４１＞
前記第３の光源は、複数の異なる色の前記第３の光を発し、時刻によって、前記異なる色の第３の光の光量の比率を変化させる付記３８から４０のいずれか１つに記載の照明ユニット。
【０４１１】
＜付記４２＞
前記異なる色の第２の光は、白色の光、緑色の光および橙色の光を含む付記４１に記載の照明ユニット。
【０４１２】
＜付記４３＞
前記白色の光は、第５の白色の光と前記第５の白色の光よりも相関色温度の低い第６の白色の光とを含む付記４２に記載の照明ユニット。
【０４１３】
＜付記４４＞
前記第１の反射面は、前記第２の端部において、前記第２の入射面よりも前記第２の端部に形成された第２の出射領域の側に位置し、
前記第２の反射面は、前記第１の端部において、前記第１の入射面よりも前記第１の端部に形成された第３の出射領域の側に位置する付記２１から３４のいずれか１つに記載の照明ユニット。
【０４１４】
＜付記４５＞
前記第１の反射面と前記拡散部との間に位置し前記ナノ粒子で散乱されずに前記拡散部の内部を導光された前記第１の光を前記第１の反射面に導く第１の導光部および前記第２の反射面と前記拡散部との間に位置し前記ナノ粒子で散乱されずに前記拡散部の内部を導光された前記第２の光を前記第２の反射面に導く第２の導光部の少なくともいずれかを備える付記４４に記載の照明ユニット。
【０４１５】
＜付記４６＞
前記第１の導光部は、前記第２の端部に含まれ、
前記第２の導光部は、前記第１の端部に含まれる付記４５に記載の照明ユニット。
【０４１６】
＜付記４７＞
第４の光を出射する第４の光源を備え、
前記第４の光源は、前記第１の導光部に対する前記第２の光源の側および前記第２の導光部に対する前記第１の光源の側の少なくともいずれかに配置される付記４５または４６に記載の照明ユニット。
【０４１７】
＜付記４８＞
前記第１の導光部は、前記第２の端部において、前記第１の反射面に対して前記第２の出射領域が形成された側と同じ側に第４の出射領域を備え、
前記第２の導光部は、前記第１の端部において、前記第２の反射面に対して前記第３の出射領域が形成された側と同じ側に第５の出射領域を備え、
前記第４の光は、前記第４の光源が備えられた前記第１の導光部を透過して前記第４の出射領域から出射され、または、前記第４の光源が備えられた前記第２の導光部を透過して前記第５の出射領域から出射される付記４７に記載の照明ユニット。
【０４１８】
＜付記４９＞
前記第４の光源は、複数の異なる色の前記第４の光を発し、時刻によって、前記異なる色の第４の光の光量の比率を変化させる付記４７または４８に記載の照明ユニット。
【０４１９】
＜付記５０＞
前記異なる色の第４の光は、白色の光、緑色の光および橙色の光を含む付記４９に記載の照明ユニット。
【０４２０】
＜付記５１＞
前記白色の光は、第７の白色の光と前記第７の白色の光よりも相関色温度の低い第８の白色の光とを含む付記５０に記載の照明ユニット。
【０４２１】
＜付記５２＞
付記１から５１のいずれか１つに記載の照明ユニットと、
光を吸収する光吸収体と
を備え、
前記光吸収体は、前記拡散体に対して前記第１の出射領域と反対側に配置される照明器具。
【０４２２】
＜付記５３＞
前記拡散体と前記光吸収体との間に第５の光源を備え、
前記第５の光源は、前記拡散体に向けて第５の光を出射する付記５２に記載の照明器具。
【０４２３】
＜付記５４＞
前記第５の光源は、複数の異なる色の前記第５の光を発し、時刻によって、前記異なる色の第５の光の光量の比率を変化させる付記５３に記載の照明器具。
【０４２４】
＜付記５５＞
前記異なる色の第５の光は、白色の光、緑色の光および橙色の光を含む付記５４に記載の照明器具。
【０４２５】
＜付記５６＞
前記白色の光は、第９の白色の光と前記第９の白色の光よりも相関色温度の低い第１０の白色の光とを含む付記５５に記載の照明器具。
【０４２６】
＜付記５７＞
付記１から５１のいずれか１つに記載の照明ユニットと、
光を反射する光反射体と
を備え、
前記光反射体は、前記拡散体に対して前記第１の出射領域と反対側に配置される照明器具。
【０４２７】
＜付記５８＞
前記光反射体は、光を拡散反射する付記５７に記載の照明器具。
【０４２８】
＜付記５９＞
付記１から２０のいずれか１つに記載の照明ユニットと、
前記第１の反射光を透過して散乱させる第１の光散乱体と
を備える照明器具。
【０４２９】
＜付記６０＞
前記第１の光散乱体は、前記第２の出射領域を覆うように配置される付記５９に記載の照明器具。
【０４３０】
＜付記６１＞
前記第１の光散乱体は、前記拡散体の内部を前記第１の光が導光される方向に曲率を有するレンチキュラーレンズを含む付記５９または６０に記載の照明器具。
【０４３１】
＜付記６２＞
前記拡散体に対して前記第２の出射領域側に配置され、第６の光を出射する第６の光源を備え、
前記第６の光源は、前記第６の光を前記第１の光散乱体に向けて出射し、
第６の光は、前記第１の光散乱体を透過する付記５９から６１のいずれか１つに記載の照明器具。
【０４３２】
＜付記６３＞
前記第６の光源は、複数の異なる色の前記第６の光を発し、時刻によって、前記異なる色の第６の光の光量の比率を変化させる付記６２に記載の照明器具。
【０４３３】
＜付記６４＞
前記異なる色の第６の光は、白色の光、緑色の光および橙色の光を含む付記６３に記載の照明器具。
【０４３４】
＜付記６５＞
前記白色の光は、第１１の白色の光と前記第１１の白色の光よりも相関色温度の低い第１２の白色の光とを含む付記６４に記載の照明器具。
【０４３５】
＜付記６６＞
付記２１から５１のいずれか１つに記載の照明ユニットと、
前記第２の反射光を透過して散乱させる第２の光散乱体と
を備える照明器具。
【０４３６】
＜付記６７＞
前記第２の光散乱体は、前記第３の出射領域を覆うように配置される付記６６に記載の照明器具。
【０４３７】
＜付記６８＞
前記第２の光散乱体は、前記拡散体の内部を前記第２の光が導光される方向に曲率を有するレンチキュラーレンズを含む付記６６または６７に記載の照明器具。
【０４３８】
＜付記６９＞
前記拡散体に対して前記第３の出射領域側に配置され、第７の光を出射する第７の光源を備え、
前記第７の光源は、前記第７の光を前記第２の光散乱体に向けて出射し、
第７の光は、前記第２の光散乱体を透過する付記６６から６８のいずれか１つに記載の照明器具。
【０４３９】
＜付記７０＞
前記第７の光源は、複数の異なる色の前記第７の光を発し、時刻によって、前記異なる色の第７の光の光量の比率を変化させる付記６９に記載の照明器具。
【０４４０】
＜付記７１＞
前記異なる色の第７の光は、白色の光、緑色の光および橙色の光を含む付記７０に記載の照明器具。
【０４４１】
＜付記７２＞
前記白色の光は、第１３の白色の光と前記第１３の白色の光よりも発光量の低い第１４の白色の光とを含む付記７１に記載の照明器具。
【０４４２】
＜付記７３＞
付記３８から４３のいずれか１つに記載の照明ユニットと、
前記第３の光を透過して散乱させる第３の光散乱体と
を備える照明器具。
【０４４３】
＜付記７４＞
前記第３の光散乱体は、前記拡散体の内部を前記第１の光が導光される方向に曲率を有するレンチキュラーレンズを含む付記７３に記載の照明器具。
【０４４４】
＜付記７５＞
付記４７または５１に記載の照明ユニットと、
前記第４の光を透過して散乱させる第４の光散乱体と
を備える照明器具。
【０４４５】
＜付記７６＞
前記第４の光散乱体は、前記拡散体の内部を前記第１の光が導光される方向に曲率を有するレンチキュラーレンズを含む付記７５に記載の照明器具。
【０４４６】
＜付記７７＞
付記１から５１のいずれか１つに記載の照明ユニットを複数備え、
複数の前記照明ユニットは、前記第１の出射領域を同じ方向として、前記拡散体を重ねて配置され、
前記複数の照明ユニットから出射される前記第１の散乱光を重ね合わせて出射する照明器具。
【０４４７】
＜付記７８＞
付記２１から５１のいずれか１つに記載の照明ユニットを複数備え、
複数の前記照明ユニットは、前記第１の出射領域を同じ方向として、前記拡散体を重ねて配置され、
前記複数の照明ユニットから出射される前記第１の散乱光および前記第２の散乱光を重ね合わせて出射する照明器具。
【０４４８】
＜付記７９＞
重ねて配置される一組の前記照明ユニットは、各々の前記第１の光が異なる方向に導光される付記７７または７８に記載の照明器具。
【０４４９】
＜付記（４）＞
付記（４）の第２の光源は、付記（３）の第３の光源に相当する。また、付記（４）の第３の光源は、付記（３）の第２の光源に相当する。
【０４５０】
＜付記１＞
第１の発光面から第１の光を発する第１の光源と、
前記第１の光を入射する第１の入射面およびナノ粒子を含み入射された前記第１の光を導光して前記ナノ粒子で散乱させて第１の散乱光とする拡散部および前記第１の散乱光を出射する出射面を含む拡散体と
を備え、
前記第１の入射面は、前記拡散体の第１の端部に形成され、
前記第１の散乱光は、前記出射面の第１の領域から出射され、
前記第１の散乱光の相関色温度は、前記第１の光の相関色温度よりも高い照明ユニット。
【０４５１】
＜付記２＞
前記第１の領域は、前記拡散部に形成される付記１に記載の照明ユニット。
【０４５２】
＜付記３＞
前記第１の光は全反射によって導光される付記１または２に記載の照明ユニット。
【０４５３】
＜付記４＞
前記第１の光源は、複数の異なる色の前記第１の光を発し、時刻によって、前記異なる色の第１の光の光量の比率を変化させる付記１から３のいずれか１つに記載の照明ユニット。
【０４５４】
＜付記５＞
前記異なる色の第１の光は、白色の光、緑色の光および橙色の光を含む付記４に記載の照明ユニット。
【０４５５】
＜付記６＞
前記白色の光は、第１の白色の光と前記第１の白色の光よりも相関色温度の低い第２の白色の光とを含む付記５に記載の照明ユニット。
【０４５６】
＜付記７＞
前記第１の発光面と前記第１の入射面との間に、前記第１の光を前記第１の入射面に向けて集める集光器を備える付記１から６のいずれか１つに記載の照明ユニット。
【０４５７】
＜付記８＞
前記集光器は、前記第１の光を導光する導光体である付記７に記載の照明ユニット。
【０４５８】
＜付記９＞
前記集光器は、レンズである付記７に記載の照明ユニット。
【０４５９】
＜付記１０＞
前記拡散体は、側面でつながれた対向する２つの面を含む板形状であり、
前記第１の入射面は、前記側面に形成され、
前記レンズは、前記板形状の厚み方向に曲率を有するシリンドリカルレンズである付記９に記載の照明ユニット。
【０４６０】
＜付記１１＞
前記拡散体は、側面でつながれた対向する２つの面を含む板形状である付記１から１０のいずれか１つに記載の照明ユニット。
【０４６１】
＜付記１２＞
前記第１の端部および前記第２の端部は、前記側面を含む付記１１に記載の照明ユニット。
【０４６２】
＜付記１３＞
前記第１の入射面は、前記側面に形成されている付記１１または１２に記載の照明ユニット。
【０４６３】
＜付記１４＞
前記第１の領域は、１つの前記面の上に形成される付記１１から１３のいずれか１つに記載の照明ユニット。
【０４６４】
＜付記１５＞
他の前記面は背面である付記１４に記載の照明ユニット。
【０４６５】
＜付記１６＞
散乱光のパワーに１００を掛けた値を全透過光のパワーで割った値をヘイズ値とすると、
前記板形状の厚み方向のヘイズ値は、０．００５以上で３０以下である付記１０から１５のいずれか１つに記載の照明ユニット。
【０４６６】
＜付記１７＞
第２の光を出射する第２の光源を備え、
前記出射面は、前記第１の領域と異なる第２の領域および第３の領域を含み、
前記第２の領域は前記ナノ粒子で散乱されずに前記拡散部の内部を導光された前記第１の光が到達する第２の端部に形成され、
前記第３の領域は前記第１の端部に形成され、
前記第２の光源は、前記第２の領域と対向する背面の側の領域および前記第３の領域と対向する背面の側の領域の少なくともいずれかから前記第２の光を入射させる付記１０から１６のいずれか１つに記載の照明ユニット。
【０４６７】
＜付記１８＞
前記第２の光は、前記第２の光源が前記第２の光を入射させた前記第１の端部または前記第２の端部を透過して出射される付記１７に記載の照明ユニット。
【０４６８】
＜付記１９＞
前記第２の光は、前記第２の光源が前記第２の光を入射させた前記第１の端部の前記第３の領域または前記第２の光源が前記第２の光を入射させた前記第２の端部の前記第２の領域から出射される付記１７または１８に記載の照明ユニット。
【０４６９】
＜付記２０＞
前記第２の光源は、複数の異なる色の前記第２の光を発し、時刻によって、前記異なる色の第２の光の光量の比率を変化させる付記１７から１９のいずれか１つに記載の照明ユニット。
【０４７０】
＜付記２１＞
前記異なる色の第２の光は、白色の光、緑色の光および橙色の光を含む付記２０に記載の照明ユニット。
【０４７１】
＜付記２２＞
前記白色の光は、第３の白色の光と前記第３の白色の光よりも相関色温度の低い第４の白色の光とを含む付記２１に記載の照明ユニット。
【０４７２】
＜付記２３＞
前記第２の領域および前記第３の領域の少なくともいずれかの上に、前記第２の光を透過して散乱させる第１の光散乱部を備える付記１７から２２のいずれか１つに記載の照明ユニット。
【０４７３】
＜付記２４＞
前記第１の光散乱部は、前記拡散体の内部を前記第１の光が導光される方向に曲率を有するレンチキュラーレンズを含む付記２３に記載の照明ユニット。
【０４７４】
＜付記２５＞
第３の発光面から第３の光を発する第３の光源を備え、
前記拡散体は、前記第３の光を入射する第２の入射面を含み、
前記第２の入射面は、前記ナノ粒子で散乱されずに導光された前記第１の光が到達する第２の端部に形成され、
前記拡散部は、入射された前記第３の光を導光して前記ナノ粒子で散乱させて第２の散乱光とし、
前記第２の散乱光は、前記第１の領域から出射され、
前記第２の散乱光の相関色温度は、前記第３の光の相関色温度よりも高い付記１から１６のいずれか１つに記載の照明ユニット。
【０４７５】
＜付記２６＞
前記第３の光は全反射によって導光される付記２５に記載の照明ユニット。
【０４７６】
＜付記２７＞
前記第３の光源は、複数の異なる色の前記第３の光を発し、時刻によって、前記異なる色の第３の光の光量の比率を変化させる付記２５または２６に記載の照明ユニット。
【０４７７】
＜付記２８＞
前記異なる色の第３の光は、白色の光、緑色の光および橙色の光を含む付記２７に記載の照明ユニット。
【０４７８】
＜付記２９＞
前記白色の光は、第５の白色の光と前記第５の白色の光よりも相関色温度の低い第６の白色の光とを含む付記２８に記載の照明ユニット。
【０４７９】
＜付記３０＞
前記第２の発光面と前記第２の入射面との間に、前記第３の光を前記第２の入射面に向けて集める集光器を備える付記２５から２９のいずれか１つに記載の照明ユニット。
【０４８０】
＜付記３１＞
前記集光器は、前記第３の光を導光する導光体である付記３０に記載の照明ユニット。
【０４８１】
＜付記３２＞
前記集光器は、レンズである付記３０に記載の照明ユニット。
【０４８２】
＜付記３３＞
前記拡散体は、側面でつながれた対向する２つの面を含む板形状であり、
前記第２の入射面は、前記側面に形成され、
前記レンズは、前記板形状の厚み方向に曲率を有するシリンドリカルレンズである付記３２に記載の照明ユニット。
【０４８３】
＜付記３４＞
前記拡散体は、側面でつながれた対向する２つの面を含む板形状であり、
前記第１の入射面は、前記側面に形成され、
前記第２の入射面は、前記第１の入射面とは異なる前記側面に形成されている付記２５から３３のいずれか１つに記載の照明ユニット。
【０４８４】
＜付記３５＞
第４の光を出射する第４の光源を備え、
前記出射面は、前記第１の領域と異なる第２の領域および第３の領域を含み、
前記第２の領域は前記第１の端部に形成され、
前記第３の領域は前記第２の端部に形成され、
前記第４の光源は、前記第２の領域と対向する背面の側の領域および前記第３の領域と対向する背面の側の領域の少なくともいずれかから前記第４の光を入射させる付記２５から３４のいずれか１つに記載の照明ユニット。
【０４８５】
＜付記３６＞
前記第４の光は、前記第４の光源が前記第４の光を入射させた前記第１の端部または前記第２の端部を透過して出射される付記３５に記載の照明ユニット。
【０４８６】
＜付記３７＞
前記第４の光は、前記第４の光源が前記第４の光を入射させた前記第１の端部の前記第３の領域または前記第４の光源が前記第４の光を入射させた前記第２の端部の前記第２の領域から出射される付記３５または３６に記載の照明ユニット。
【０４８７】
＜付記３８＞
前記第４の光源は、複数の異なる色の前記第４の光を発し、時刻によって、前記異なる色の第４の光の光量の比率を変化させる付記３５から３７のいずれか１つに記載の照明ユニット。
【０４８８】
＜付記３９＞
前記異なる色の第４の光は、白色の光、緑色の光および橙色の光を含む付記３８に記載の照明ユニット。
【０４８９】
＜付記４０＞
前記白色の光は、第７の白色の光と前記第７の白色の光よりも相関色温度の低い第８の白色の光とを含む付記３９に記載の照明ユニット。
【０４９０】
＜付記４１＞
前記第２の領域および前記第３の領域の少なくともいずれかの上に、前記第４の光を透過して散乱させる第２の光散乱部を備える付記３５から４０のいずれか１つに記載の照明ユニット。
【０４９１】
＜付記４２＞
前記第２の光散乱部は、前記拡散体の内部を前記第１の光が導光される方向に曲率を有するレンチキュラーレンズを含む付記４１に記載の照明ユニット。
【０４９２】
＜付記４３＞
付記１から４２のいずれか１つに記載の照明ユニットと、
光を吸収する光吸収体と
を備え、
前記光吸収体は、前記拡散体に対して前記第１の領域と反対側に配置される照明器具。
【０４９３】
＜付記４４＞
前記拡散体と前記光吸収体との間に第５の光源を備え、
前記第５の光源は、前記拡散体に向けて第５の光を出射する付記４３に記載の照明器具。
【０４９４】
＜付記４５＞
前記第５の光源は、複数の異なる色の前記第５の光を発し、時刻によって、前記異なる色の第５の光の光量の比率を変化させる付記４４に記載の照明器具。
【０４９５】
＜付記４６＞
前記異なる色の第５の光は、白色の光、緑色の光および橙色の光を含む付記４５に記載の照明器具。
【０４９６】
＜付記４７＞
前記白色の光は、第９の白色の光と前記第９の白色の光よりも相関色温度の低い第１０の白色の光とを含む付記４６に記載の照明器具。
【０４９７】
＜付記４８＞
付記１から４２のいずれか１つに記載の照明ユニットと、
光を反射する光反射体と
を備え、
前記光反射体は、前記拡散体に対して前記第１の領域と反対側に配置される照明器具。
【０４９８】
＜付記４９＞
前記光反射体は、光を拡散反射する付記４８に記載の照明器具。
【０４９９】
＜付記５０＞
付記１７から２４のいずれか１つに記載の照明ユニットと、
前記第２の光を透過して散乱させる第１の光散乱体と
を備える照明器具。
【０５００】
＜付記５１＞
前記第１の光散乱体は、前記第２の領域および前記第３の領域の少なくともいずれか１つを覆うように配置される付記５０に記載の照明器具。
【０５０１】
＜付記５２＞
前記第１の光散乱体は、前記拡散体の内部を前記第１の光が導光される方向に曲率を有するレンチキュラーレンズを含む付記５０または５１に記載の照明器具。
【０５０２】
＜付記５３＞
前記拡散体に対して前記第１の光散乱体が配置された側であって、前記拡散体に対して前記第１の端部および前記第２の端部の少なくともいずれか１つの側に配置され、第６の光を出射する第６の光源を備え、
前記第６の光源は、前記第６の光を前記第１の光散乱体に向けて出射し、
第６の光は、前記第１の光散乱体を透過する付記５０から５２のいずれか１つに記載の照明器具。
【０５０３】
＜付記５４＞
前記第６の光源は、複数の異なる色の前記第６の光を発し、時刻によって、前記異なる色の第６の光の光量の比率を変化させる付記５３に記載の照明器具。
【０５０４】
＜付記５５＞
前記異なる色の第６の光は、白色の光、緑色の光および橙色の光を含む付記５４に記載の照明器具。
【０５０５】
＜付記５６＞
前記白色の光は、第１１の白色の光と前記第１１の白色の光よりも相関色温度の低い第１２の白色の光とを含む付記５５に記載の照明器具。
【０５０６】
＜付記５７＞
付記３５から４２のいずれか１つに記載の照明ユニットと、
前記第４の光を透過して散乱させる第２の光散乱体と
を備える照明器具。
【０５０７】
＜付記５８＞
前記第２の光散乱体は、前記第２の領域および前記第３の領域の少なくともいずれか１つを覆うように配置される付記５７に記載の照明器具。
【０５０８】
＜付記５９＞
前記第２の光散乱体は、前記拡散体の内部を前記第１の光が導光される方向に曲率を有するレンチキュラーレンズを含む付記５７または５８に記載の照明器具。
【０５０９】
＜付記６０＞
前記拡散体に対して前記第２の光散乱体が配置された側であって、前記拡散体に対して前記第１の端部および前記第２の端部の少なくともいずれか１つの側に配置され、第７の光を出射する第７の光源を備え、
前記第７の光源は、前記第７の光を前記第２の光散乱体に向けて出射し、
第７の光は、前記第２の光散乱体を透過する付記５７から５９のいずれか１つに記載の照明器具。
【０５１０】
＜付記６１＞
前記第７の光源は、複数の異なる色の前記第７の光を発し、時刻によって、前記異なる色の第７の光の光量の比率を変化させる付記６０に記載の照明器具。
【０５１１】
＜付記６２＞
前記異なる色の第７の光は、白色の光、緑色の光および橙色の光を含む付記６１に記載の照明器具。
【０５１２】
＜付記６３＞
前記白色の光は、第１３の白色の光と前記第１３の白色の光よりも相関色温度の低い第１４の白色の光とを含む付記６２に記載の照明器具。
【０５１３】
＜付記６４＞
付記１から１６および２５から３４のいずれか１つに記載の照明ユニットと、
第８の光を出射する第８の光源と、
前記第８の光を透過して散乱させる第３の光散乱体と
を備え、
前記第３の光散乱体は、前記拡散体に対して、前記出射面側であって前記第１の端部および前記第２の出端部の少なくともいずれか１つの側に配置され、
前記第８の光源は、前記拡散体と前記第３の光散乱体との間に配置され、前記第８の光を前記第３の光散乱体に向けて出射し、
第８の光は、前記第３の光散乱体を透過する照明器具。
【０５１４】
＜付記６５＞
前記第３の光散乱体は、前記第２の領域および前記第３の領域の少なくともいずれか１つを覆うように配置される付記６４に記載の照明器具。
【０５１５】
＜付記６６＞
前記第３の光散乱体は、前記拡散体の内部を前記第１の光が導光される方向に曲率を有するレンチキュラーレンズを含む付記６４または６５に記載の照明器具。
【０５１６】
＜付記６７＞
付記１から４２のいずれか１つに記載の照明ユニットを複数備え、
複数の前記照明ユニットは、前記第１の領域を同じ方向として、前記拡散体を重ねて配置され、
前記複数の照明ユニットから出射される前記第１の散乱光を重ね合わせて出射する照明器具。
【０５１７】
＜付記６８＞
付記２５から４２のいずれか１つに記載の照明ユニットを複数備え、
複数の前記照明ユニットは、前記第１の領域を同じ方向として、前記拡散体を重ねて配置され、
前記複数の照明ユニットから出射される前記第１の散乱光および前記第２の散乱光を重ね合わせて出射する照明器具。
【０５１８】
＜付記６９＞
重ねて配置される一組の前記照明ユニットの各々の前記第１の光は、異なる方向に導光される付記６４または６５に記載の照明器具。
【符号の説明】
【０５１９】
１００，１１０，１２０，１３０，１４０，１５０，１６０ａ，１６０ｂ，１６０ｃ，１７０，１８０  照明ユニット、  ２００，２１０，２２０，２３０，２４０，２５０，２６０，２７０，２８０  照明器具、  １０，１０ａ，１０ｂ，１０ｃ，１０ｄ，１０ｅ  光源、  ２０  ＬＥＤ素子、  １２１  基材、  １２２  粒子、  １１  発光面、  １２  拡散体、  １３，１３ａ，１３ｂ  入射面、  １３５，１３５ａ，１３５ｂ  入射部、  １４  出射面、  １４ａ，１４ｂ，１４ｂ，１４ｃ  領域、  １５  背面、  １６，１６ａ，１６ｂ  反射面、  １７  光吸収体、  １８  光吸収面、  ２３，２３ａ，２３ｂ  端部、  ３０，３０ａ，３０ｂ  導光部、  ３１，３１ａ，３１ｂ  領域、  ４０，４１  光散乱体、  ４０ａ，４０ｂ，４１ａ，４１ｂ  領域、  ５０  光反射体、  ５１  反射面、  ６０  集光器、  ６１ａ，６１ｂ  反射面、  ６２ａ，６２ｂ，６３ａ，６３ｂ  端部、  ６４  導光体、  ６５ａ，６５ｂ  反射面、  ６６  入射面、  ６７  出射面、  ７０  レンズ、  ７１  入射面、  ７２  出射面、  ８０  光散乱体、  ｄ  粒径、  Ｈ  ヘイズ値、  Ｌｉ，Ｌｉａ，Ｌｉｂ，Ｌｉｃ，Ｌｉｄ，Ｌｉｅ，Ｌｔ，Ｌｔａ，Ｌｔｂ  光、  Ｌｓ，Ｌｓａ，Ｌｓｂ，Ｌｓｅ  散乱光、  Ｌｌ，Ｌｌａ，Ｌｌｂ  反射光（照明光）、  ｎ  屈折率、  α  サイズパラメーター、  σ  散乱断面積、  λ  波長。
【図１】
2020191308.tif 000003
【図２】
2020191308.tif 000004
【図３】
2020191308.tif 000005
【図４】
2020191308.tif 000006
【図５】
2020191308.tif 000007
【図６】
2020191308.tif 000008
【図７】
2020191308.tif 000009
【図８】
2020191308.tif 000010
【図９】
2020191308.tif 000011
【図１０】
2020191308.tif 000012
【図１１】
2020191308.tif 000013
【図１２】
2020191308.tif 000014
【図１３】
2020191308.tif 000015
【図１４】
2020191308.tif 000016
【図１５】
2020191308.tif 000017
【図１６】
2020191308.tif 000018
【図１７】
2020191308.tif 000019
【図１８】
2020191308.tif 000020
【図１９】
2020191308.tif 000021
【図２０】
2020191308.tif 000022
【図２１】
2020191308.tif 000023
【図２２】
2020191308.tif 000024
【図２３】
2020191308.tif 000025
【図２４】
2020191308.tif 000026
【図２５】
2020191308.tif 000027
【図２６】
2020191308.tif 000028
【図２７】
2020191308.tif 000029
【図２８】
2020191308.tif 000030
【図２９】
2020191308.tif 000031
【図３０】
2020191308.tif 000032
【図３１】
2020191308.tif 000033
【図３２】
2020191308.tif 000034